(57)【特許請求の範囲】
【請求項１】
セッション管理機能エンティティがイベントをサブスクライブするためにイベントサブスクリプション要求をモビリティ管理機能エンティティに送信する段階であって、前記イベントサブスクリプション要求は、ユーザ機器（ＵＥ）の識別子及びローカルエリアデータネットワーク（ＬＡＤＮ）の識別子を含み、前記イベントは、前記ＬＡＤＮがカバーするエリアから前記ＵＥが離れることを含む、段階と、
前記セッション管理機能エンティティが前記モビリティ管理機能エンティティから、前記ＬＡＤＮがカバーする前記エリアから前記ＵＥが離れたことを通知する第１の通知メッセージを受信する段階と、
前記セッション管理機能エンティティが、前記第１の通知メッセージに基づいて第１のセッション操作をトリガする段階であって、前記第１のセッション操作はＬＡＤＮセッションのリリース又はＬＡＤＮセッションの停止を含み、前記ＬＡＤＮセッションは、前記ＬＡＤＮがカバーする前記エリアにおいて前記ＵＥがデータ伝送を実行するのに用いられるセッションである、段階と
を備える、セッション処理方法。
【請求項２】
前記第１のセッション操作が前記ＬＡＤＮセッションのリリースを含む場合、前記セッション管理機能エンティティが前記第１の通知メッセージに基づいて第１のセッション操作を前記トリガする段階は、
前記セッション管理機能エンティティが前記第１の通知メッセージに基づいて前記ＬＡＤＮセッションをリリースする段階を有する、請求項１に記載のセッション処理方法。
【請求項３】
前記第１のセッション操作が前記ＬＡＤＮセッションのリリースを含む場合、前記セッション管理機能エンティティが前記第１の通知メッセージに基づいて第１のセッション操作を前記トリガする段階は、
前記セッション管理機能エンティティが前記第１の通知メッセージに基づいて前記ＬＡＤＮセッションの停止をトリガして、予め設定した期間内に、また前記ＬＡＤＮがカバーする前記エリアに前記ＵＥが再び入るかどうかに応じて、前記ＬＡＤＮセッションをリリースするかどうかを判定する段階を有する、請求項１に記載のセッション処理方法。
【請求項４】
前記セッション管理機能エンティティが、予め設定した期間内に、また前記ＬＡＤＮがカバーする前記エリアに前記ＵＥが再び入るかどうかに応じて、前記ＬＡＤＮセッションをリリースするかどうかを前記判定する段階は、具体的に、
前記予め設定した期間内に、前記ＬＡＤＮがカバーする前記エリアに前記ＵＥが再び入らなかった場合、前記セッション管理機能エンティティが前記ＬＡＤＮセッションをリリースする段階、又は、
前記予め設定した期間内に、前記ＬＡＤＮがカバーする前記エリアに前記ＵＥが再び入った場合、前記セッション管理機能エンティティが前記ＬＡＤＮセッションをリリースしないと判定する段階を有する、請求項３に記載のセッション処理方法。
【請求項５】
前記第１のセッション操作が前記ＬＡＤＮセッションの停止を含む場合、前記セッション管理機能エンティティが前記第１の通知メッセージに基づいて第１のセッション操作を前記トリガする段階は、
前記セッション管理機能エンティティがユーザプレーン機能エンティティに、前記ＬＡＤＮセッションのダウンリンクトンネルリソースをリリースするよう命令するメッセージを送信する段階、又は、
前記セッション管理機能エンティティが前記モビリティ管理機能エンティティに、前記ＬＡＤＮセッションのエアインタフェースリソースをリリースするよう命令するメッセージを送信する段階を有する、請求項１に記載のセッション処理方法。
【請求項６】
前記イベントはさらに、前記ＬＡＤＮがカバーする前記エリアに前記ＵＥが入ることを含み、
セッション管理機能エンティティが、イベントサブスクリプション要求をモビリティ管理機能エンティティに前記送信する段階の後に、前記セッション処理方法はさらに、
前記セッション管理機能エンティティが前記モビリティ管理機能エンティティから、前記ＬＡＤＮがカバーする前記エリアに前記ＵＥが入ったことを通知する第２の通知メッセージを受信する段階と、
前記セッション管理機能エンティティが前記第２の通知メッセージに基づいて第２のセッション操作をトリガする段階であって、前記第２のセッション操作は、前記ＬＡＤＮセッションを起動すること、又は前記ＵＥと前記ＬＡＤＮとの間のＬＡＤＮセッション確立をトリガすることを含む、段階と
を備える、請求項１から５のいずれか一項に記載のセッション処理方法。
【請求項７】
前記第１のセッション操作が前記ＬＡＤＮセッションの停止を含む場合、前記セッション管理機能エンティティが前記第２の通知メッセージに基づいて第２のセッション操作を前記トリガする段階は、
前記ＬＡＤＮセッションを用いてデータ伝送を実行するよう要求するサービス要求（ＳＲ）メッセージを前記ＵＥから受信した場合、前記セッション管理機能エンティティが前記第１の通知メッセージに基づいて停止した前記ＬＡＤＮセッションを、前記セッション管理機能エンティティが前記第２の通知メッセージに基づいて起動する段階を有する、請求項６に記載のセッション処理方法。
【請求項８】
前記第１のセッション操作が前記ＬＡＤＮセッションのリリースを含む場合、前記セッション管理機能エンティティが前記第２の通知メッセージに基づいて第２のセッション操作を前記トリガする段階は、
前記ＵＥと前記ＬＡＤＮとの間にＬＡＤＮセッションを確立するよう要求するメッセージを前記ＵＥから受信した場合、前記セッション管理機能エンティティが、前記第２の通知メッセージに基づいて前記ＵＥと前記ＬＡＤＮとの間のＬＡＤＮセッション確立をトリガする段階を有する、請求項６に記載のセッション処理方法。
【請求項９】
前記ＬＡＤＮの前記識別子はローカルデータネットワーク名である、請求項１から８のいずれか一項に記載のセッション処理方法。
【請求項１０】
イベントをサブスクライブするためにイベントサブスクリプション要求をモビリティ管理機能エンティティに送信することであって、前記イベントサブスクリプション要求は、ユーザ機器（ＵＥ）の識別子及びローカルエリアデータネットワーク（ＬＡＤＮ）の識別子を含み、前記イベントは、前記ＬＡＤＮがカバーするエリアから前記ＵＥが離れることを含む、送信することと、前記ＬＡＤＮがカバーする前記エリアから前記ＵＥが離れたことを通知する第１の通知メッセージを前記モビリティ管理機能エンティティから受信することとを行うように構成された送受信機ユニットと、
前記送受信機ユニットにより受信した前記第１の通知メッセージに基づいて第１のセッション操作をトリガすることであって、前記第１のセッション操作は、ＬＡＤＮセッションのリリース又はＬＡＤＮセッションの停止を含み、前記ＬＡＤＮセッションは、前記ＬＡＤＮがカバーする前記エリアにおいて前記ＵＥがデータ伝送を実行するのに用いられるセッションである、トリガすることを行うように構成された処理ユニットと
を備える、セッション管理機能エンティティ。
【請求項１１】
前記処理ユニットは具体的に、
前記第１のセッション操作が前記ＬＡＤＮセッションのリリースを含む場合、前記第１の通知メッセージに基づいて前記ＬＡＤＮセッションをリリースする、又は、
前記第１のセッション操作が前記ＬＡＤＮセッションのリリースを含む場合、前記送受信機ユニットを用いて、前記第１の通知メッセージに基づいて前記ＬＡＤＮセッションの停止をトリガし、予め設定した期間内に、また前記ＬＡＤＮがカバーする前記エリアに前記ＵＥが再び入るかどうかに応じて、前記ＬＡＤＮセッションをリリースするかどうかを判定する
ように構成される、請求項１０に記載のセッション管理機能エンティティ。
【請求項１２】
前記予め設定した期間内に、また前記ＬＡＤＮがカバーする前記エリアに前記ＵＥが再び入るかどうかに応じて、前記ＬＡＤＮセッションをリリースするかどうかを判定する場合、前記処理ユニットは具体的に、
前記予め設定した期間内に、前記ＬＡＤＮがカバーする前記エリアに前記ＵＥが再び入らなかった場合、前記ＬＡＤＮセッションをリリースする、又は、
前記予め設定した期間内に、前記ＬＡＤＮがカバーする前記エリアに前記ＵＥが再び入った場合、前記ＬＡＤＮセッションをリリースしないと判定する
ように構成される、請求項１１に記載のセッション管理機能エンティティ。
【請求項１３】
前記処理ユニットは具体的に、
前記第１のセッション操作が前記ＬＡＤＮセッションの停止を含む場合、前記送受信機ユニットを用いてユーザプレーン機能エンティティに、前記ＬＡＤＮセッションのダウンリンクトンネルリソースをリリースするよう命令するメッセージを送信する、又は、
前記第１のセッション操作が前記ＬＡＤＮセッションの停止を含む場合、前記送受信機ユニットを用いて前記モビリティ管理機能エンティティに、前記ＬＡＤＮセッションのエアインタフェースリソースをリリースするよう命令するメッセージを送信する
ように構成される、請求項１０に記載のセッション管理機能エンティティ。
【請求項１４】
前記ＬＡＤＮの前記識別子はローカルデータネットワーク名である、請求項１１から１３のいずれか一項に記載のセッション管理機能エンティティ。
【請求項１５】
セッション管理機能エンティティと、モビリティ管理機能エンティティとを備えるセッション処理システムであって、
前記セッション管理機能エンティティは、イベントをサブスクライブするためにイベントサブスクリプション要求を前記モビリティ管理機能エンティティに送信するように構成され、前記イベントサブスクリプション要求は、ユーザ機器（ＵＥ）の識別子及びローカルエリアデータネットワーク（ＬＡＤＮ）の識別子を含み、前記イベントは、前記ＬＡＤＮがカバーするエリアから前記ＵＥが離れることを含み、
前記モビリティ管理機能エンティティは、前記セッション管理機能エンティティにより送信される前記イベントサブスクリプション要求を受信し、前記ＬＡＤＮがカバーする前記エリアから前記ＵＥが離れたと判定した場合、前記ＬＡＤＮがカバーする前記エリアから前記ＵＥが離れたことを通知する第１の通知メッセージを前記セッション管理機能エンティティに送信するように構成され、
前記セッション管理機能エンティティはさらに、前記第１の通知メッセージを前記モビリティ管理機能エンティティから受信し、前記第１の通知メッセージに基づいて第１のセッション操作をトリガするように構成され、前記第１のセッション操作は、ＬＡＤＮセッションのリリース又はＬＡＤＮセッションの停止を含み、前記ＬＡＤＮセッションは、前記ＬＡＤＮがカバーする前記エリアにおいて前記ＵＥがデータ伝送を実行するのに用いられるセッションである、セッション処理システム。
【請求項１６】
前記第１のセッション操作が前記ＬＡＤＮセッションのリリースを含む場合、前記セッション管理機能エンティティが、前記第１の通知メッセージに基づいて第１のセッション操作をトリガするように構成されることは、
前記セッション管理機能エンティティが、前記第１の通知メッセージに基づいて前記ＬＡＤＮセッションをリリースするように構成されること、又は、
前記セッション管理機能エンティティが、前記第１の通知メッセージに基づいて前記ＬＡＤＮセッションの停止をトリガし、予め設定した期間内に、また前記ＬＡＤＮがカバーする前記エリアに前記ＵＥが再び入るかどうかに応じて、前記ＬＡＤＮセッションをリリースするかどうかを判定するように構成されることを含む、請求項１５に記載のセッション処理システム。
【請求項１７】
前記セッション管理機能エンティティが、予め設定した期間内に、また前記ＬＡＤＮがカバーする前記エリアに前記ＵＥが再び入るかどうかに応じて、前記ＬＡＤＮセッションをリリースするかどうかを判定するように構成されることは、
前記セッション管理機能エンティティが、前記予め設定した期間内に、前記ＬＡＤＮがカバーする前記エリアに前記ＵＥが再び入らなかった場合、前記ＬＡＤＮセッションをリリースする、又は、前記予め設定した期間内に、前記ＬＡＤＮがカバーする前記エリアに前記ＵＥが再び入った場合、前記ＬＡＤＮセッションをリリースしないと判定するように構成されることを含む、請求項１６に記載のセッション処理システム。
【請求項１８】
前記ＬＡＤＮの前記識別子はローカルデータネットワーク名である、請求項１５から１７のいずれか一項に記載のセッション処理システム。
【請求項１９】
請求項１から９のいずれか一項に記載のセッション処理方法をコンピュータに実行させるためのプログラム。
【請求項２０】
プロセッサを備えたセッション管理機能エンティティであって、前記プロセッサは、メモリと結合され、前記メモリ内の命令を読み出し、前記命令に従って、請求項１から９のいずれか一項に記載のセッション処理方法を実行するように構成される、セッション管理機能エンティティ。
【発明の詳細な説明】
【技術分野】
【０００１】
本願は、２０１７年６月８日出願の「セッション処理方法、装置、及びシステム（ＳＥＳＳＩＯＮ  ＰＲＯＣＥＳＳＩＮＧ  ＭＥＴＨＯＤ，  ＡＰＰＡＲＡＴＵＳ，  ＡＮＤ  ＳＹＳＴＥＭ）」と題する中国特許出願第２０１７１０４２８３８５．５号と、２０１７年６月１６日出願の「セッション処理方法、装置、及びシステム」と題する中国特許出願第２０１７１０４５９７３４．Ｘ号とに基づく優先権を主張するものであり、両特許出願はその全体が参照により本明細書に組み込まれる。
【０００２】
本願は、無線通信技術の分野に関するものであり、詳細には、セッション処理方法、装置、及びシステムに関するものである。
【背景技術】
【０００３】
ローカルエリアデータネットワーク（Ｌｏｃａｌ  Ａｒｅａ  Ｄａｔａ  Ｎｅｔｗｏｒｋ、ＬＡＤＮ）とは、特定の地域をカバーするネットワークである。例えば、ＬＡＤＮは、企業の構内、大学の構内、空港、鉄道の駅、ショッピングモール、又は競技場などの場所をカバーするネットワークであってよい。ユーザ機器（Ｕｓｅｒ  Ｅｑｕｉｐｍｅｎｔ、ＵＥ）が無線アクセスを介してローカルゲートウェイにアクセスして、ローカルゲートウェイに対応するＬＡＤＮに直接アクセスするので、ＵＥは、ＬＡＤＮとは異なるネットワークを利用せずに、ＵＥが頻繁に用いるデータをＬＡＤＮから取得できる。これにより、データを取得する際の遅延が減少し、占有される帯域幅が減少する。なぜならば、ＵＥはＬＡＤＮとは異なるネットワークからデータを取得するよう頻繁に要求する必要があるからである。
【０００４】
ＬＡＤＮへのＵＥの接続についての先行技術の技術的解決手段では、セッション管理機能エンティティが、ＬＡＤＮの構成情報とＬＡＤＮがカバーするエリアに関する情報とを、ＵＥの位置に基づいてＵＥに提供し、ＵＥは、ＬＡＤＮがカバーするエリアに関する受信した情報に基づいてＬＡＤＮがカバーするエリアに自身が入ったと判定すると、受信したＬＡＤＮの構成情報に基づいてＬＡＤＮに接続し、データ伝送のためにＬＡＤＮセッションを確立するよう要求する。ＬＡＤＮがカバーするエリアからＵＥが離れた後、先行技術では、ＵＥに対して確立したＬＡＤＮセッションを処理する方法はない。
【０００５】
結論として、ＬＡＤＮがカバーするエリアにＵＥが入った後に確立されたＬＡＤＮセッションについて、ＬＡＤＮがカバーするエリアからＵＥが離れた後にＬＡＤＮセッションを処理する技術的解決手段を、早急に立案する必要がある。
【発明の概要】
【０００６】
本願の実施形態が、セッション処理方法、装置、及びシステムを提供して、ＬＡＤＮがカバーするエリアからＵＥが離れる前に確立されているＬＡＤＮセッションを、ＬＡＤＮがカバーするエリアからＵＥが離れた後に処理する。
【０００７】
第１の態様によれば、本願の一実施形態がセッション処理方法を提供する。本方法は、ＬＡＤＮがカバーするエリアからＵＥが離れたことをセッション管理機能エンティティが判定する段階と、ＬＡＤＮセッションの停止をトリガする段階と、予め設定した期間内に、またＬＡＤＮがカバーするエリアにＵＥが再び入るかどうかに応じて、ＬＡＤＮセッションをリリースするかどうかを判定する段階とを含み、ＬＡＤＮセッションは、ＬＡＤＮがカバーするエリアにおいてＵＥがデータ伝送を実行するのに用いられるセッションである。
【０００８】
前述の方法によれば、ＬＡＤＮがカバーするエリアに入ったＵＥ用にセッション管理機能エンティティにより確立されたＬＡＤＮセッションの場合、ＬＡＤＮがカバーするエリアからＵＥが離れたと判定した後に、ＬＡＤＮセッションにより占有されているネットワークリソースをリリースするために、セッション管理機能エンティティはＬＡＤＮセッションの停止をトリガし、予め設定した期間内に、ＬＡＤＮがカバーするエリアにＵＥが再び入るかどうかに応じて、ＬＡＤＮセッションをリリースするかどうかを判定する。このように、ＬＡＤＮがカバーするエリアからＵＥが離れる前に確立されているＬＡＤＮセッションが、ＬＡＤＮがカバーするエリアからＵＥが離れた後に処理されるので、ＬＡＤＮセッションにより占有されているネットワークリソースの適切な利用が容易になり、ネットワークリソースの利用率が向上する。
【０００９】
実行可能な実施例では、予め設定した期間内に、またＬＡＤＮがカバーするエリアにＵＥが再び入るかどうかに応じて、セッション管理機能エンティティがＬＡＤＮセッションをリリースするかどうかを判定する場合、以下の２つのケースがあり得る。
【００１０】
ケース１：予め設定した期間内に、ＬＡＤＮがカバーするエリアにＵＥが再び入らなかった場合、セッション管理機能エンティティはＬＡＤＮセッションをリリースする。
【００１１】
前述の方法によれば、セッション管理機能エンティティは、予め設定した期間内に、ＬＡＤＮがカバーするエリアに再び入らなかったＵＥ用に確立されているＬＡＤＮセッションをリリースすることができ、以下の問題を防ぐことができる。すなわち、ＬＡＤＮがカバーするエリアからＵＥが離れた後に、ＵＥのＬＡＤＮセッションが長時間リリースされなかった場合、ＬＡＤＮセッションはネットワークリソースを長時間占有するので、リソースの無駄が生じるという問題である。
【００１２】
ケース２：予め設定した期間内に、ＬＡＤＮがカバーするエリアにＵＥが再び入った場合、セッション管理機能エンティティはＬＡＤＮセッションをリリースしないと判定する。
【００１３】
前述の方法によれば、セッション管理機能エンティティは、予め設定した期間内に、ＬＡＤＮがカバーするエリアに再び入るＵＥ用に確立されているＬＡＤＮセッションをリリースしないと判定することができ、以下の問題を防ぐことができる。すなわち、ＬＡＤＮがカバーするエリアからＵＥが離れた直後に、ＵＥのＬＡＤＮセッションがリリースされた場合、ＬＡＤＮがカバーするエリアにＵＥが再び入ったときに、ＬＡＤＮセッションがＵＥ用に再度確立される必要があり、ＬＡＤＮセッションの確立を繰り返すことで、シグナリングオーバーヘッドの増加を引き起こすという問題である。
【００１４】
実行可能な実施例では、セッション管理機能エンティティがＬＡＤＮセッションをリリースしないと判定した後に、ＬＡＤＮセッションがまだ休止状態にあるため、ＬＡＤＮセッションを用いてデータ伝送を実行するよう要求するサービス要求ＳＲメッセージをＵＥから受信した場合、セッション管理機能エンティティはＬＡＤＮセッションの起動をトリガする。
【００１５】
前述の方法によれば、予め設定した期間内に、ＬＡＤＮがカバーするエリアに再び入るＵＥは、起動したＬＡＤＮセッションを用いてデータ伝送を実行することができるので、ＬＡＤＮがカバーするエリアに再び入るＵＥ用に、ＬＡＤＮセッションを再度確立する必要はなく、不必要なシグナリングオーバーヘッドの発生を防ぐことができる。
【００１６】
実行可能な実施例では、セッション管理機能エンティティがＬＡＤＮセッションの停止をトリガした後に、且つセッション管理機能エンティティがＬＡＤＮセッションをリリースするかどうかを判定する前に、セッション管理機能エンティティは、ＬＡＤＮセッションをリリースするかどうかを判定することが一時的にできないので、ＬＡＤＮセッションを用いてデータ伝送を実行するよう要求するＳＲメッセージをＵＥから受信した場合、セッション管理機能エンティティは、ＳＲメッセージに対応する要求が失敗したことを示す応答メッセージをＵＥに送信する。
【００１７】
前述の方法によれば、ＬＡＤＮがカバーするエリアにＵＥが再び入ることを、予め設定した期間内に検出しなかった場合、セッション管理機能エンティティはＵＥからのＳＲメッセージを処理することができる。
【００１８】
実行可能な実施例では、ＬＡＤＮがカバーするエリアからＵＥが離れたとセッション管理機能エンティティが判定するのに用いる方法は、次の通りである。すなわち、セッション管理機能エンティティがモビリティ管理機能エンティティから指示情報を受信する段階であって、指示情報はＵＥの位置を示すのに用いられる、段階と、セッション管理機能エンティティが指示情報に基づいて、ＬＡＤＮがカバーするエリアからＵＥが離れたと判定する段階とを含む方法である。
【００１９】
前述の方法によれば、セッション管理機能エンティティは、ＬＡＤＮがカバーするエリアからＵＥが離れたと判定することができるので、セッション管理機能エンティティは、ＬＡＤＮがカバーするエリアからＵＥが離れる前に確立されているＬＡＤＮセッションの停止をトリガすることができる。
【００２０】
それに対応して、実行可能な実施例では、セッション管理機能エンティティが指示情報をモビリティ管理機能エンティティから受信する前に、セッション管理機能エンティティは、ＵＥの位置情報をセッション管理機能エンティティに報告するようモビリティ管理機能エンティティに要求してもよく、又は、セッション管理機能エンティティは、ＬＡＤＮがカバーするエリアからＵＥが離れたと判定したときに、通知をセッション管理機能エンティティに提供するようモビリティ管理機能エンティティに要求してもよい。
【００２１】
実行可能な実施例では、モビリティ管理機能エンティティから受信した指示情報に含まれる情報に応じて、以下の２つの方法が、ＬＡＤＮがカバーするエリアからＵＥが離れたとセッション管理機能エンティティが判定するのに用いられてよい。
【００２２】
方法１：指示情報はＵＥの位置情報を含む。この場合、ＵＥの位置情報により示される位置が、セッション管理機能エンティティによって予め格納された、ＬＡＤＮがカバーするエリアに関する情報により示されるエリアにないならば、セッション管理機能エンティティは、ＬＡＤＮがカバーするエリアからＵＥが離れたと判定する。
【００２３】
前述の方法によれば、指示情報がＵＥの位置情報を含む場合、セッション管理機能エンティティは、ＬＡＤＮがカバーするエリアからＵＥが離れたと判定することができる。
【００２４】
方法２：指示情報は、ＬＡＤＮがカバーするエリアからＵＥが離れたことを示す情報を含む。この場合、セッション管理機能エンティティは、指示情報に含まれる、ＬＡＤＮがカバーするエリアからＵＥが離れたことを示す情報に基づいて、ＬＡＤＮがカバーするエリアからＵＥが離れたと判定する。
【００２５】
セッション管理機能エンティティが指示情報をモビリティ管理機能エンティティから受信する前に、モビリティ管理機能エンティティは、ＵＥの位置情報を取得し、ＵＥの位置情報と、モビリティ管理機能エンティティによって予め格納された、ＬＡＤＮがカバーするエリアに関する情報とに基づいて、ＬＡＤＮがカバーするエリアからＵＥが離れたと判定し、ＬＡＤＮがカバーするエリアからＵＥが離れたことを示す情報をセッション管理機能エンティティに送信する。
【００２６】
前述の方法によれば、指示情報が、ＬＡＤＮがカバーするエリアからＵＥが離れたことを示す情報を含む場合、セッション管理機能エンティティは、ＬＡＤＮがカバーするエリアからＵＥが離れたと直接判定することができる。
【００２７】
実行可能な実施例では、ＬＡＤＮがカバーするエリアからＵＥが離れたとセッション管理機能エンティティが判定するのに用いられる前述の２つの方法において、ＵＥの位置情報はＵＥが位置するセルのセル識別情報を含み、ＬＡＤＮがカバーするエリアに関する情報はＬＡＤＮがカバーするエリア内の全てのセルのセル識別情報を含む、又は、ＵＥの位置情報はＵＥのトラッキングエリア識別情報ＴＡＩを含み、ＬＡＤＮがカバーするエリアに関する情報はＬＡＤＮがカバーするエリア内の全てのＴＡＩを含む。
【００２８】
実行可能な実施例では、セッション管理機能エンティティがＬＡＤＮセッションの停止をトリガするのに用いられる方法が以下のオペレーションを含む。すなわち、ＬＡＤＮセッションのダウンリンクトンネルリソースをリリースするよう命令するメッセージを、セッション管理機能エンティティがユーザプレーン機能エンティティに送信するオペレーション、又はＬＡＤＮセッションのエアインタフェースリソースをリリースするよう命令するメッセージを、セッション管理機能エンティティがモビリティ管理機能エンティティに送信するオペレーションである。
【００２９】
このように、ＬＡＤＮセッションにより占有されているダウンリンクトンネルリソース及びエアインタフェースリソースをリリースすることができ、これらのリソースの利用を向上させることができる。
【００３０】
第２の態様によれば、本願の一実施形態がさらに、セッション管理機能エンティティを提供する。セッション管理機能エンティティは、第１の態様の方法例におけるセッション管理機能エンティティのオペレーションを実施する機能を有する。この機能は、ハードウェアを用いて実施されてもよく、対応するソフトウェアをハードウェアによって実行することにより実施されてもよい。ハードウェア又はソフトウェアは、前述の機能に対応する１つ又は複数のモジュールを含む。
【００３１】
実行可能な実施例では、セッション管理機能エンティティの構成が、処理ユニット及び送受信機ユニットを含む。これらのユニットは、第１の態様の任意の実施例において提供された方法例の対応する機能を実装し得る。詳細については、方法例の詳細な説明を参照されたい。詳細はここで繰り返さない。
【００３２】
第３の態様によれば、本願の一実施形態がさらに、セッション管理機能エンティティを提供する。セッション管理機能エンティティは、第１の態様の方法例におけるセッション管理機能エンティティのオペレーションを実施する機能を有する。この機能は、ハードウェアを用いて実施され得る。セッション管理機能エンティティの構成が、メモリ、プロセッサ、及び送受信機を含む。プロセッサ、メモリ、及び送受信機は、バスを用いて互いに接続されている。メモリは、コンピュータ可読プログラムを格納するように構成される。プロセッサは、メモリに格納された命令を呼び出すことで、第１の態様の任意の実施例において提供された方法を実行し、第２の態様のセッション管理機能エンティティの構成に含まれている処理ユニットの機能を実装する。送受信機は、プロセッサの制御下で、データを受信する及び／又はデータを送信して、第２の態様のセッション管理機能エンティティの構成に含まれる送受信機ユニットの機能を実装するように構成される。
【００３３】
第４の態様によれば、本願の一実施形態はさらに、セッション処理システムを提供する。本システムは、モビリティ管理機能エンティティ及びセッション管理機能エンティティを含む。モビリティ管理機能エンティティは、指示情報をセッション管理機能エンティティに送信するように構成され、指示情報は、ユーザ機器ＵＥの位置を示すのに用いられる。セッション管理機能エンティティは、モビリティ管理機能エンティティにより送信される指示情報を受信することと、指示情報に基づいて、ＬＡＤＮがカバーするエリアからＵＥが離れたと判定することと、ＬＡＤＮセッションの停止をトリガすることであって、ＬＡＤＮセッションは、ＬＡＤＮがカバーするエリアにおいてＵＥがデータ伝送を実行するのに用いられるセッションである、トリガすることと、予め設定した期間内に、またＬＡＤＮがカバーするエリアにＵＥが再び入るかどうかに応じて、ＬＡＤＮセッションをリリースするかどうかを判定することとを行うように構成される。
【００３４】
実行可能な実施例では、セッション管理機能エンティティは、第１の態様の任意の実施例において提供された方法を実行するように構成される。
【００３５】
第５の態様によれば、本願の一実施形態がセッション処理方法を提供する、本方法は、セッション管理機能エンティティがイベントサブスクリプション要求をモビリティ管理機能エンティティに送信する段階であって、イベントサブスクリプション要求におけるイベントは、ＬＡＤＮがカバーするエリアからＵＥが離れることを含む、段階と、ＬＡＤＮがカバーするエリアからＵＥが離れたことを通知する第１の通知メッセージをモビリティ管理機能エンティティから受信する段階と、セッション管理機能エンティティが第１の通知メッセージに基づいて第１のセッション操作をトリガする段階であって、第１のセッション操作はＬＡＤＮセッションのリリース又はＬＡＤＮセッションの停止を含み、ＬＡＤＮセッションは、ＬＡＤＮがカバーするエリアにおいてＵＥがデータ伝送を実行するのに用いられるセッションである、段階とを含む。
【００３６】
前述の方法によれば、ＬＡＤＮがカバーするエリアに入ったＵＥ用にセッション管理機能エンティティにより確立されたＬＡＤＮセッションの場合、セッション管理機能エンティティは、イベントサブスクリプション要求を用いて、ＬＡＤＮがカバーするエリアからＵＥが離れるというイベントの通知をモビリティ管理機能エンティティからサブスクライブし、モビリティ管理機能エンティティにより送信される、ＬＡＤＮがカバーするエリアからＵＥが離れたことを通知する第１の通知メッセージを受信した後に、第１の通知メッセージに基づいて、ＬＡＤＮセッションの停止又はＬＡＤＮセッションのリリースをトリガする。このように、ＬＡＤＮがカバーするエリアからＵＥが離れる前に確立されているＬＡＤＮセッションが、ＬＡＤＮがカバーするエリアからＵＥが離れた後に処理されるので、ＬＡＤＮセッションにより占有されているネットワークリソースの適切な利用が容易になり、ネットワークリソースの利用率が向上する。
【００３７】
実行可能な実施例では、第１のセッション操作がＬＡＤＮセッションのリリースを含む場合、セッション管理機能エンティティが第１の通知メッセージに基づいて第１のセッション操作をトリガするのに、以下の２つの方法が用いられ得る。
【００３８】
方法１：セッション管理機能エンティティは、第１の通知メッセージに基づいてＬＡＤＮセッションをリリースする。
【００３９】
方法１は、ＬＡＤＮがカバーするエリアからＵＥが離れた後に、ＵＥのＬＡＤＮセッションがまだ確保されているために、リソースの無駄が生じるという問題を防ぐことができる。
【００４０】
方法２：セッション管理機能エンティティは、第１の通知メッセージに基づいてＬＡＤＮセッションの停止をトリガし、予め設定した期間内に、またＬＡＤＮがカバーするエリアにＵＥが再び入るかどうかに応じて、ＬＡＤＮセッションをリリースするかどうかを判定する。
【００４１】
実行可能な実施例では、イベントサブスクリプション要求におけるイベントはさらに、ＬＡＤＮがカバーするエリアにＵＥが入ることを含む。イベントサブスクリプション要求におけるイベントが、ＬＡＤＮがカバーするエリアにＵＥが入ることを含む場合、セッション管理機能エンティティがイベントサブスクリプション要求をモビリティ管理機能エンティティに送信した後に、セッション管理機能エンティティはさらに、ＬＡＤＮがカバーするエリアにＵＥが入ったことを通知する第２の通知メッセージをモビリティ管理機能エンティティから受信し、第２の通知メッセージに基づいて第２のセッション操作をトリガしてよい。第２のセッション操作は、ＬＡＤＮセッションの起動、又はＵＥとＬＡＤＮとの間のＬＡＤＮセッション確立のトリガを含む。
【００４２】
実行可能な実施例では、イベントサブスクリプション要求におけるイベントが、ＬＡＤＮがカバーするエリアにＵＥが入ることを含む場合、セッション管理機能エンティティが第２の通知メッセージに基づいて第２のセッション操作をトリガするときに、以下の２つのケースがあってよい。
【００４３】
ケース１：セッション管理機能エンティティが第１の通知メッセージに基づいてＬＡＤＮセッションの停止をトリガし、セッション管理機能エンティティが第２の通知メッセージに基づいて、ＬＡＤＮがカバーするエリアにＵＥが再び入ったと判定した場合、ＬＡＤＮセッションはこの時点で休止状態にあるため、ＬＡＤＮセッションを用いてデータ伝送を実行するよう要求するＳＲメッセージを、セッション管理機能エンティティがＵＥから受信するならば、セッション管理機能エンティティは、第１の通知メッセージに基づいてセッション管理機能エンティティが停止したＬＡＤＮセッションを、第２の通知メッセージに基づいて起動する。
【００４４】
このように、ＵＥは、起動したＬＡＤＮセッションを用いて、データ伝送を直ちに実行することができる。
【００４５】
ケース２：セッション管理機能エンティティが第１の通知メッセージに基づいてＬＡＤＮセッションをリリースし、ＬＡＤＮがカバーするエリアにＵＥが再び入ったという通知をセッション管理機能エンティティがサブスクライブ解除していない場合、ＵＥとＬＡＤＮとの間にＬＡＤＮセッションを確立するよう要求するメッセージをＵＥから受信するならば、セッション管理機能エンティティは、第２の通知メッセージに基づいて、ＵＥとＬＡＤＮとの間のＬＡＤＮセッション確立をトリガする。
【００４６】
このように、ＵＥは、確立したＬＡＤＮセッションを用いて、データ伝送を実行することができる。
【００４７】
第６の態様によれば、本願の一実施形態がさらに、セッション管理機能エンティティを提供する。セッション管理機能エンティティは、第５の態様の方法例におけるセッション管理機能エンティティのオペレーションを実施する機能を有する。この機能は、ハードウェアを用いて実施されてもよく、対応するソフトウェアをハードウェアによって実行することにより実施されてもよい。ハードウェア又はソフトウェアは、前述の機能に対応する１つ又は複数のモジュールを含む。
【００４８】
実行可能な実施例では、セッション管理機能エンティティの構成は、処理ユニット及び送受信機ユニットを含む。これらのユニットは、第５の態様の任意の実施例において提供された方法例の対応する機能を実装し得る。詳細については、方法例の詳細な説明を参照されたい。詳細はここで繰り返さない。
【００４９】
第７の態様によれば、本願の一実施形態がさらに、セッション管理機能エンティティを提供する。セッション管理機能エンティティは、第５の態様の方法例におけるセッション管理機能エンティティのオペレーションを実施する機能を有し、この機能はハードウェアを用いて実施され得る。セッション管理機能エンティティの構成が、メモリ、プロセッサ、及び送受信機を含む。プロセッサ、メモリ、及び送受信機は、バスを用いて互いに接続されている。メモリは、コンピュータ可読プログラムを格納するように構成される。プロセッサは、メモリに格納された命令を呼び出すことで、第５の態様の任意の実施例において提供された方法を実行し、第６の態様のセッション管理機能エンティティの構成に含まれている処理ユニットの機能を実装する。送受信機は、プロセッサの制御下で、データを受信する及び／又はデータを送信して、第６の態様のセッション管理機能エンティティの構成に含まれる送受信機ユニットの機能を実装するように構成される。
【００５０】
第８の態様によれば、本願の一実施形態はさらに、セッション処理システムを提供する。本システムは、モビリティ管理機能エンティティ及びセッション管理機能エンティティを含む。セッション管理機能エンティティは、イベントサブスクリプション要求をモビリティ管理機能エンティティに送信するように構成され、イベントには、ＬＡＤＮがカバーするエリアからＵＥが離れることが含まれ得る。モビリティ管理機能エンティティは、セッション管理機能エンティティにより送信されるイベントサブスクリプション要求を受信した後に、ＬＡＤＮがカバーするエリアからＵＥが離れたと判定した場合、ＬＡＤＮがカバーするエリアからＵＥが離れたことを通知する第１の通知メッセージをセッション管理機能エンティティに送信するように構成される。セッション管理機能エンティティはさらに、第１の通知メッセージを受信した後に、第１の通知メッセージに基づいて第１のセッション操作をトリガするように構成され、第１のセッション操作は、ＬＡＤＮセッションの停止又はＬＡＤＮセッションのリリースを含む。
【００５１】
実行可能な実施例では、セッション管理機能エンティティは、第５の態様の任意の実施例において提供された方法を実行するように構成される。
【００５２】
第９の態様によれば、本願の一実施形態がさらに、コンピュータ記憶媒体を提供する。本記憶媒体は、ソフトウェアプログラムを格納する。ソフトウェアプログラムは、１つ又は複数のプロセッサにより読み出されて実行されると、第１の態様又は第１の態様の任意の実施例において提供された方法を実施することができる。
【００５３】
第１０の態様によれば、本願の一実施形態が、命令を含むコンピュータプログラム製品を提供する。本製品がコンピュータで起動すると、コンピュータは、第１の態様又は第１の態様の任意の実施例におけるセッション処理方法を実行することができる。
【００５４】
第１１の態様によれば、本願の一実施形態がさらに、コンピュータ記憶媒体を提供する。本記憶媒体は、ソフトウェアプログラムを格納する。ソフトウェアプログラムは、１つ又は複数のプロセッサにより読み出されて実行されると、第５の態様又は第５の態様の任意の実施例において提供された方法を実施することができる。
【００５５】
第１２の態様によれば、本願の一実施形態が、命令を含むコンピュータプログラム製品を提供する。本製品がコンピュータで起動すると、コンピュータは、第５の態様のうちのいずれか１つにおけるセッション処理方法を実行することができる。
【００５６】
本願の実施形態において提供されるセッション処理の技術的解決手段では、ＬＡＤＮがカバーするエリアに入ったＵＥ用にセッション管理機能エンティティにより確立されたＬＡＤＮセッションの場合、セッション管理機能エンティティは、ＬＡＤＮがカバーするエリアからＵＥが離れたと判定した後に、ＬＡＤＮセッションの停止をトリガし、予め設定した期間内に、ＬＡＤＮがカバーするエリアにＵＥが再び入るかどうかに応じて、ＬＡＤＮセッションをリリースするかどうかを判定する。このように、ＬＡＤＮがカバーするエリアからＵＥが離れる前に確立されているＬＡＤＮセッションが、ＬＡＤＮがカバーするエリアからＵＥが離れた後に処理される。したがって、本願の実施形態において提供される技術的解決手段によれば、ＬＡＤＮセッションにより占有されるネットワークリソースを適切に利用することができるので、ネットワークリソースの利用率を向上させることができる。
【図面の簡単な説明】
【００５７】
【図１】本願の一実施形態によるセッション処理システムの概略アーキテクチャ図である。
【００５８】
【図２】本願の一実施形態による５Ｇシステムの概略アーキテクチャ図である。
【００５９】
【図３】本願の一実施形態によるセッション処理方法の概略フローチャートである。
【００６０】
【図４Ａ】本願の一実施形態による５ＧシステムにおいてＬＡＤＮセッションを処理する第１の方法の概略フローチャートである。
【図４Ｂ】本願の一実施形態による５ＧシステムにおいてＬＡＤＮセッションを処理する第１の方法の概略フローチャートである。
【００６１】
【図５Ａ】本願の一実施形態による５ＧシステムにおいてＬＡＤＮセッションを処理する第２の方法の概略フローチャートである。
【図５Ｂ】本願の一実施形態による５ＧシステムにおいてＬＡＤＮセッションを処理する第２の方法の概略フローチャートである。
【００６２】
【図６】本願の一実施形態による５ＧシステムにおいてＬＡＤＮセッションを処理する第３の方法の概略フローチャートである。
【００６３】
【図７】本願の一実施形態による５ＧシステムにおいてＬＡＤＮセッションを処理する第４の方法の概略フローチャートである。
【００６４】
【図８】本願の一実施形態による第１のセッション管理機能エンティティの概略構造図である。
【００６５】
【図９】本願の一実施形態による第２のセッション管理機能エンティティの概略構造図である。
【００６６】
【図１０】本願の一実施形態による別のセッション処理システムの概略アーキテクチャ図である。
【００６７】
【図１１】本願の一実施形態による別のセッション処理方法の概略フローチャートである。
【００６８】
【図１２】本願の一実施形態による５ＧシステムにおいてＬＡＤＮセッションを処理する第５の方法の概略フローチャートである。
【００６９】
【図１３】本願の一実施形態による５ＧシステムにおいてＬＡＤＮセッションを処理する第６の方法の概略フローチャートである。
【００７０】
【図１４Ａ】本願の一実施形態による５ＧシステムにおいてＬＡＤＮセッションを処理する第７の方法の概略フローチャートである。
【図１４Ｂ】本願の一実施形態による５ＧシステムにおいてＬＡＤＮセッションを処理する第７の方法の概略フローチャートである。
【図１４Ｃ】本願の一実施形態による５ＧシステムにおいてＬＡＤＮセッションを処理する第７の方法の概略フローチャートである。
【００７１】
【図１５】本願の一実施形態による第３のセッション管理機能エンティティの概略構造図である。
【００７２】
【図１６】本願の一実施形態による第４のセッション管理機能エンティティの概略構造図である。
【発明を実施するための形態】
【００７３】
本願の実施形態は、セッション処理方法、装置、及びシステムを提供し、ＬＡＤＮがカバーするエリアからＵＥが離れる前に確立されているＬＡＤＮセッションを、ＬＡＤＮがカバーするエリアからＵＥが離れた後に処理する。本方法、本装置、及び本システムは、同じ概念に基づいている。本方法、本装置、及び本システムの問題解決方針は同様なので、本方法、本装置、及び本システムの実装の間で相互参照を行うことができ、説明の繰り返しは割愛する。
【００７４】
本願の実施形態において提供される技術的解決手段は、ＬＡＤＮに特有のセッション処理シナリオに適用可能である。ＬＡＤＮは、特定の地域をカバーするネットワークである。例えば、ＬＡＤＮは、大学の構内又は駅などの場所をカバーするネットワークであってよい。ＵＥが、無線アクセスネットワークを用いてＬＡＤＮのユーザプレーンノードにアクセスし、ＬＡＤＮのユーザプレーンノードに対応するＬＡＤＮに直接アクセスする。またＵＥは、ＬＡＤＮとは異なるネットワークを利用せずに、ＵＥが頻繁に用いるデータをＬＡＤＮから取得することができる。これにより、データを取得する際の遅延が減少し、占有される帯域幅が減少する。なぜならば、ＵＥはＬＡＤＮとは異なるネットワークからデータを取得するよう頻繁に要求する必要があるからである。ＵＥをＬＡＤＮに接続するプロセスが以下のことを含む。ＬＡＤＮがカバーするエリアにＵＥが入った後に、制御プレーンノードのセッション管理機能エンティティが、ＵＥの位置に基づいて、ＬＡＤＮの構成情報、及びＬＡＤＮがカバーするエリアに関する情報をＵＥに提供する。ＵＥは、ＬＡＤＮがカバーするエリアに関する受信した情報に基づいてＬＡＤＮがカバーするエリアに自身が入ったと判定した後に、受信したＬＡＤＮの構成情報に基づいてＬＡＤＮに接続する。ＵＥがＬＡＤＮに接続された後に、ネットワークはＵＥ用にＬＡＤＮセッションを確立する。ＬＡＤＮセッションは、ＬＡＤＮがカバーするエリアにおいてＵＥがデータ伝送を実行するのに用いられるセッションである。ＬＡＤＮセッションは、起動状態にあるＬＡＤＮセッションと、休止状態にあるＬＡＤＮセッションとに分類される。起動状態にあるＬＡＤＮセッションは、ダウンリンクトンネルリソース及びエアインタフェースリソースを占有し、ＵＥは、起動状態にあるＬＡＤＮセッションを用いて、ＬＡＤＮがカバーするエリアにおいてデータ伝送を実行することができる。休止状態にあるＬＡＤＮセッションは、ダウンリンクトンネルリソースもエアインタフェースリソースも占有しないので、ＬＡＤＮがカバーするエリアにおいてＵＥがデータ伝送を実行するのに、休止状態にあるＬＡＤＮセッションを用いることはできない。
【００７５】
本願の一実施形態がセッション処理システムを提供する。モビリティ管理機能エンティティ１０１とセッション管理機能エンティティ１０２とを含む本システムのアーキテクチャが、図１に示され得る。本システムの動作原理は次の通りである。
【００７６】
モビリティ管理機能エンティティ１０１は、指示情報をセッション管理機能エンティティ１０２に送信する。モビリティ管理機能エンティティ１０１により送信される指示情報を受信した後に、セッション管理機能エンティティ１０２は、指示情報により示されるＵＥ位置に基づいて、ＬＡＤＮがカバーするエリアからＵＥが離れたと判定する。ＬＡＤＮがカバーするエリアからＵＥが離れたと判定した場合、セッション管理機能エンティティ１０２は、ＬＡＤＮセッションの停止をトリガし、予め設定した期間内に、またＬＡＤＮがカバーするエリアにＵＥが再び入るかどうかに応じて、ＬＡＤＮセッションをリリースするかどうかを判定する。予め設定した期間内に、ＬＡＤＮがカバーするエリアにＵＥが再び入らなかった場合、セッション管理機能エンティティ１０２はＬＡＤＮセッションをリリースする。これにより、以下の問題を防ぐことができる。すなわち、ＬＡＤＮがカバーするエリアからＵＥが離れた後に、ＵＥのＬＡＤＮセッションが長時間リリースされない場合、ＬＡＤＮセッションはネットワークリソースを長時間占有するので、リソースの無駄が生じるという問題である。予め設定した期間内に、ＬＡＤＮがカバーするエリアにＵＥが再び入った場合、セッション管理機能エンティティ１０２はＬＡＤＮセッションをリリースしないと判定する。これにより、以下の問題を防ぐことができる。すなわち、ＬＡＤＮがカバーするエリアからＵＥが離れた直後に、ＵＥのＬＡＤＮセッションがリリースされた場合、ＬＡＤＮがカバーするエリアにＵＥが再び入ったときに、ＬＡＤＮセッションがＵＥ用に再度確立される必要があり、ＬＡＤＮセッションの確立を繰り返すことで、シグナリングオーバーヘッドの増加を引き起こすという問題である。
【００７７】
指示情報はＵＥの位置を示すのに用いられ、指示情報は、ＵＥの位置情報、又はＬＡＤＮがカバーするエリアからＵＥが離れたことを示す情報を含み得る。指示情報がＵＥの位置情報を含む場合、セッション管理機能エンティティ１０２は、指示情報に含まれるＵＥの位置情報と、ＬＡＤＮがカバーするエリアに関する予め格納された情報とに基づいて、ＬＡＤＮがカバーするエリアからＵＥが離れたと判定する。指示情報が、ＬＡＤＮがカバーするエリアからＵＥが離れたことを示す情報を含む場合、モビリティ管理機能エンティティ１０１は、ＵＥの位置情報と、ＬＡＤＮがカバーするエリアに関する予め格納された情報とに基づいて、ＬＡＤＮがカバーするエリアからＵＥが離れたと判定し、ＬＡＤＮがカバーするエリアからＵＥが離れたことを示す情報を含む指示情報をセッション管理機能エンティティ１０２に送信する。
【００７８】
本願のセッション処理システムによれば、ＬＡＤＮがカバーするエリアからＵＥが離れる前に確立されているＬＡＤＮセッションが、ＬＡＤＮがカバーするエリアからＵＥが離れた後に処理され得るので、ＬＡＤＮセッションにより占有されているネットワークリソースの適切な利用が容易になり、ネットワークリソースの利用率が向上する。
【００７９】
本願のこの実施形態において提供される技術的解決手段は、５Ｇシステムを含む複数のシステムに適用可能である。例えば、適用可能なシステムは、移動通信用グローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎｓ、ＧＳＭ（登録商標））のシステム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））システム、汎用パケット無線サービス（Ｇｅｎｅｒａｌ  Ｐａｃｋｅｔ  Ｒａｄｉｏ  Ｓｅｒｖｉｃｅ、ＧＰＲＳ）システム、ロングタームエボリューション（Ｌｏｎｇ  Ｔｅｒｍ  Ｅｖｏｌｕｔｉｏｎ、ＬＴＥ）システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、ワールドワイドインターオペラビリティフォーマイクロウェーブアクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）システム、及び５Ｇシステムなどであってよい。複数のシステムはそれぞれ、セッション管理機能エンティティ及びモビリティ管理機能エンティティを含む。異なるシステムのセッション管理機能エンティティ及びモビリティ管理機能エンティティは、それに対応して異なる名称を有することがある。例えば、５Ｇシステムでは、セッション管理機能エンティティの名称はＳＭＦ（Ｓｅｓｓｉｏｎ  Ｍａｎａｇｅｍｅｎｔ  Ｆｕｎｃｔｉｏｎ）であり、モビリティ管理機能エンティティの名称はＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ）である。
【００８０】
図２に示す５Ｇシステムが一例として用いられる。５Ｇシステムは、ＳＭＦ、ＡＭＦ、無線アクセスネットワーク（Ｒａｄｉｏ  Ａｃｃｅｓｓ  Ｎｅｔｗｏｒｋ、ＲＡＮ）、及びユーザプレーン機能エンティティ（Ｕｓｅｒ  Ｐｌａｎｅ  Ｆｕｎｃｔｉｏｎ、ＵＰＦ）を含み、さらにポリシー制御機能エンティティ（Ｐｏｌｉｃｙ  Ｃｏｎｔｒｏｌ  Ｆｕｎｃｔｉｏｎ、ＰＣＦ）、アプリケーション機能エンティティ（Ａｐｐｌｉｃａｔｉｏｎ  Ｆｕｎｃｔｉｏｎ、ＡＦ）、データネットワーク（Ｄａｔａ  Ｎｅｔｗｏｒｋ、ＤＮ）、及び統一データ管理機能エンティティ（Ｕｎｉｔｅｄ  Ｄａｔａ  Ｍａｎａｇｅｍｅｎｔ、ＵＤＭ）などを含んでよい。ＳＭＦは主に、５Ｇシステムにおいて、セッションの確立、リリース、及び更新をトリガし且つ制御するように構成される。ＡＭＦは、Ｎ１インタフェースを介してＵＥシグナリングを受信し、Ｎ２インタフェースを介してＲＡＮシグナリングを受信して、ＵＥの登録、シグナリングの転送、及びＵＥのモビリティ管理を完了させてよい。ＳＭＦ及びＡＭＦは制御プレーンノードである。Ｎ１インタフェースは、ＵＥとモビリティ管理機能エンティティとの間のシグナリングインタフェースであり、Ｎ２インタフェースは、ＲＡＮとモビリティ管理機能エンティティとの間のシグナリングインタフェースである。ＵＰＦは、ユーザプレーンのゲートウェイ機能を実装することができるユーザプレーンノードであり、主に、ユーザプレーンでのデータ転送、リッスン、課金などの特定の機能の実装を制御するように構成される。ＲＡＮは、ＵＥをコアネットワークに無線方式で接続することができる。ＲＡＮは、特定の範囲内のユーザに、アクセス、ローミング、公衆交換電話網への接続、及びネットワークへの接続を含む管理タスクを提供する基本インフラストラクチャであり得る。図２に示す５Ｇシステムでは、ＵＥは、ＵＰＦを用いて、ＵＰＦに接続されたＤＮに接続してよい。ＵＰＦがＬＡＤＮとは異なる別のネットワークのユーザプレーンノードである場合、ＵＰＦに接続されたＤＮは、ＬＡＤＮとは異なる別のネットワークである。ＵＰＦがＬＡＤＮのユーザプレーンノードである場合、ＵＰＦに接続されたＤＮはＬＡＤＮである。
【００８１】
本願のこの実施形態におけるＵＥは、音声及び／又はデータの接続性をユーザに提供するデバイスでも、無線接続機能を備えたハンドヘルド型デバイスでも、無線モデムに接続された別の処理デバイスでもよい。ＵＥは、ＲＡＮを用いて、１つ又は複数のコアネットワークと通信してよい。無線端末デバイスは、携帯電話（「セルラ」電話とも呼ばれる）又は移動端末デバイスを備えたコンピュータなどの移動端末デバイスであってよい。例えば、無線端末デバイスは、携帯可能なポケットサイズでハンドヘルドの、コンピュータ内蔵又は車載型の移動装置であってよく、音声及び／又はデータを無線アクセスネットワークとやり取りする。例えば、無線端末デバイスは、パーソナル通信サービス（Ｐｅｒｓｏｎａｌ  Ｃｏｍｍｕｎｉｃａｔｉｏｎ  Ｓｅｒｖｉｃｅ、ＰＣＳ）電話、コードレス電話セット、セッション開始プロトコル（Ｓｅｓｓｉｏｎ  Ｉｎｉｔｉａｔｅｄ  Ｐｒｏｔｏｃｏｌ、ＳＩＰ）電話、無線ローカルループ（Ｗｉｒｅｌｅｓｓ  Ｌｏｃａｌ  Ｌｏｏｐ、ＷＬＬ）局、又は携帯情報端末（Ｐｅｒｓｏｎａｌ  Ｄｉｇｉｔａｌ  Ａｓｓｉｓｔａｎｔ、ＰＤＡ）などのデバイスである。無線端末デバイスは、システム、加入者ユニット（Ｓｕｂｓｃｒｉｂｅｒ  Ｕｎｉｔ）、加入者局（Ｓｕｂｓｃｒｉｂｅｒ  Ｓｔａｔｉｏｎ）、移動局（Ｍｏｂｉｌｅ  Ｓｔａｔｉｏｎ）、モバイルコンソール（Ｍｏｂｉｌｅ）、リモート局（Ｒｅｍｏｔｅ  Ｓｔａｔｉｏｎ）、アクセスポイント（Ａｃｃｅｓｓ  Ｐｏｉｎｔ）、リモート端末デバイス（Ｒｅｍｏｔｅ  Ｔｅｒｍｉｎａｌ）、アクセス端末デバイス（Ａｃｃｅｓｓ  Ｔｅｒｍｉｎａｌ）、ユーザ端末デバイス（Ｕｓｅｒ  Ｔｅｒｍｉｎａｌ）、ユーザエージェント（Ｕｓｅｒ  Ａｇｅｎｔ）、ユーザデバイス（Ｕｓｅｒ  Ｄｅｖｉｃｅ）、又はユーザ機器（Ｕｓｅｒ  Ｅｑｕｉｐｍｅｎｔ）とも呼ばれることがある。
【００８２】
本願のこの実施形態において提供される技術的解決手段では、セッション管理機能エンティティは、ＬＡＤＮがカバーするエリアからＵＥが離れたと判定した後に、ＬＡＤＮセッションの停止をトリガし、ＬＡＤＮセッションが停止した後に、ＬＡＤＮがカバーするエリアにＵＥが再び入るかどうかに応じて、ＬＡＤＮセッションをリリースするかどうかを判定する。このように、ＬＡＤＮがカバーするエリアからＵＥが離れる前に確立されているＬＡＤＮセッションが、ＬＡＤＮがカバーするエリアからＵＥが離れた後に処理される。以下では、本願のこの実施形態において提供される技術的解決手段を詳細に説明する。
【００８３】
本願の一実施形態がセッション処理方法を提供する。図３に示すように、本方法は以下に挙げる段階を含む。
【００８４】
Ｓ３０１：セッション管理機能エンティティが、ＬＡＤＮがカバーするエリアからＵＥが離れたと判定する。
【００８５】
Ｓ３０１では、セッション管理機能エンティティは、ＵＥの位置を示す指示情報に基づいて、ＬＡＤＮがカバーするエリアからＵＥが離れたと判定し得る。Ｓ３０１の前に、セッション管理機能エンティティは、ＵＥの位置を示す指示情報をモビリティ管理機能エンティティから受信し得る。
【００８６】
Ｓ３０１では、セッション管理機能エンティティは、以下に挙げる２つの方法を用いて、ＬＡＤＮがカバーするエリアからＵＥが離れたと判定し得る。
【００８７】
方法１：指示情報がＵＥの位置情報を含む場合、セッション管理機能エンティティは、ＵＥの位置情報と、セッション管理機能エンティティにより予め格納された、ＬＡＤＮがカバーするエリアに関する情報とに基づいて、ＵＥの位置情報により示される位置が、ＬＡＤＮがカバーするエリアに関する予め格納された情報により示されるエリア内にあるかどうかを判定する。ＵＥの位置情報により示される位置が、セッション管理機能エンティティにより予め格納された、ＬＡＤＮがカバーするエリアに関する情報により示されるエリアにない場合、ＬＡＤＮがカバーするエリアにＵＥは位置していないので、セッション管理機能エンティティは、ＬＡＤＮがカバーするエリアからＵＥが離れたと判定してよい。
【００８８】
方法２：指示情報が、ＬＡＤＮがカバーするエリアからＵＥが離れたことを示す情報を含む場合、セッション管理機能エンティティは、指示情報に基づいて、ＬＡＤＮがカバーするエリアからＵＥが離れたと直接判定する。モビリティ管理機能エンティティが、ＬＡＤＮがカバーするエリアからＵＥが離れたことを示す情報をセッション管理機能エンティティに送信する前に、モビリティ管理機能エンティティは、ＵＥの位置情報を取得し、ＵＥの位置情報と、モビリティ管理機能エンティティにより予め格納された、ＬＡＤＮがカバーするエリアに関する情報とに基づいて、ＵＥの位置情報により示される位置が、ＬＡＤＮがカバーするエリアに関する予め格納された情報により示されるエリア内にあるかどうかを判定する。ＵＥの位置情報により示される位置が、モビリティ管理機能エンティティにより予め格納された、ＬＡＤＮがカバーするエリアに関する情報により示されるエリアにない場合、ＬＡＤＮがカバーするエリアにＵＥは位置していないので、モビリティ管理機能エンティティは、ＬＡＤＮがカバーするエリアからＵＥが離れたと判定してよい。
【００８９】
方法１及び方法２では、モビリティ管理機能エンティティは、ＵＥの位置情報を無線アクセスネットワークから取得してよい。
【００９０】
方法１及び方法２では、ＵＥの位置情報により示される位置が、ＬＡＤＮがカバーするエリアに関する予め格納された情報により示されるエリア内にあるかどうかを判定しやすくするために、ＬＡＤＮがカバーするエリアに関する情報は、ＬＡＤＮがカバーするエリア内の全てのセルのセル識別情報を含み、ＵＥの位置情報はＵＥが位置するセルのセル識別情報を含む、及び／又は、ＬＡＤＮがカバーするエリアに関する情報は、ＬＡＤＮがカバーするエリア内の全てのトラッキングエリア識別情報（Ｔｒａｃｋｉｎｇ  Ａｒｅａ  Ｉｄｅｎｔｉｔｙ、ＴＡＩ）を含み、ＵＥの位置情報はＵＥのＴＡＩを含む。ＬＡＤＮがカバーするエリアに関する情報と、ＵＥの位置情報とが、それぞれＴＡＩを含む場合、実際の適用についての要件が、いっそうよく満たされる。
【００９１】
例えば、ＬＡＤＮがカバーするエリアに関する情報は、ＬＡＤＮがカバーするエリア内の全てのセルのセル識別情報を含み、ＵＥの位置情報は、ＵＥが位置するセルのセル識別情報を含む。セッション管理機能エンティティが、ＵＥが位置するセルのセル識別情報をモビリティ管理機能エンティティから受信した後に、ＵＥが位置するセルのセル識別情報が、ＬＡＤＮがカバーするエリア内の全てのセルのセル識別情報に存在しない場合、ＵＥが位置するセルは、ＬＡＤＮがカバーするエリア内のセルではないので、セッション管理機能エンティティは、ＬＡＤＮがカバーするエリアからＵＥが離れたと判定してよい。
【００９２】
Ｓ３０２：セッション管理機能エンティティは、ＬＡＤＮセッションの停止をトリガする。
【００９３】
ＬＡＤＮセッションは、ＬＡＤＮがカバーするエリアにおいてＵＥがデータ伝送を実行するのに用いられるセッションである。ＬＡＤＮセッションは、ＬＡＤＮがカバーするエリアからＵＥが離れた後でもまだ起動状態にあるが、ＬＡＤＮセッションは、ＬＡＤＮがカバーするエリアにおいてＵＥがデータ伝送を実行するためだけに用いられ得る。したがって、ＵＥは、ＬＡＤＮがカバーするエリアから離れた後に、起動状態にあるＬＡＤＮセッションを用いてデータ伝送を引き続き実行することを禁じられる必要がある。さらに、起動状態にあるＬＡＤＮセッションはダウンリンクトンネルリソース及びエアインタフェースリソースを占有するので、起動状態にあるＬＡＤＮセッションは、ＬＡＤＮがカバーするエリアからＵＥが離れた後も引き続きこれらのリソースを占有し、その結果、リソースの無駄が生じる。
【００９４】
前述の理由に基づいて、この実施形態では、ＬＡＤＮがカバーするエリアからＵＥが離れたと判定した場合、セッション管理機能エンティティは、ＬＡＤＮセッションの停止をトリガして、ＬＡＤＮがカバーするエリアからＵＥが離れた後に、ＵＥが起動状態にあるＬＡＤＮセッションを用いて引き続きデータ伝送を実行するのを防ぎ、ＬＡＤＮセッションにより占有されているダウンリンクトンネルリソース及びエアインタフェースリソースをリリースする。
【００９５】
セッション管理機能エンティティがＬＡＤＮセッションの停止をトリガするのに用いられる方法が、以下に挙げることを含む。
【００９６】
セッション管理機能エンティティは、ＬＡＤＮセッションにより占有されているダウンリンクトンネルリソースをリリースするよう命令するメッセージをユーザプレーン機能エンティティに送信し、ユーザプレーン機能エンティティは、このメッセージを受信した後に、ＬＡＤＮセッションにより占有されているダウンリンクトンネルリソースをリリースする。あるいは、セッション管理機能エンティティは、ＬＡＤＮセッションにより占有されているエアインタフェースリソースをリリースするよう命令するメッセージをモビリティ管理機能エンティティに送信し、モビリティ管理機能エンティティは、このメッセージを無線アクセスネットワークに転送し、無線アクセスネットワークは、ＬＡＤＮセッションにより占有されているエアインタフェースリソースをリリースするためにＵＥとやり取りする。
【００９７】
セッション管理機能エンティティがＬＡＤＮセッションの停止をトリガするのに用いられる方法における、ＬＡＤＮセッションにより占有されているダウンリンクトンネルリソース及びエアインタフェースリソースをリリースするプロセスについては、先行技術を参照できることに留意されたい。詳細はここで説明しない。この実施形態では、ＬＡＤＮセッションにより占有されているダウンリンクトンネルリソースをリリースするよう命令するメッセージを、セッション管理機能エンティティがユーザプレーン機能エンティティに送信することと、ＬＡＤＮセッションにより占有されているエアインタフェースリソースをリリースするよう命令するメッセージをセッション管理機能エンティティがモビリティ管理機能エンティティに送信することの順序は、限定されるものではない。
【００９８】
Ｓ３０３：セッション管理機能エンティティは、予め設定した期間内に、またＬＡＤＮがカバーするエリアにＵＥが再び入るかどうかに応じて、ＬＡＤＮセッションをリリースするかどうかを判定する。
【００９９】
具体的な実施例では、Ｓ３０３において、予め設定した期間内に、ＬＡＤＮがカバーするエリアにＵＥが再び入らなかった場合、セッション管理機能エンティティはＬＡＤＮセッションをリリースする。これにより、以下の問題を防ぐことができる。すなわち、ＬＡＤＮがカバーするエリアからＵＥが離れた後に、ＵＥのＬＡＤＮセッションが長時間リリースされない場合、ＬＡＤＮセッションはネットワークリソースを長時間占有するので、リソースの無駄が生じるという問題である。あるいは、予め設定した期間内に、ＬＡＤＮがカバーするエリアにＵＥが再び入った場合、セッション管理機能エンティティはＬＡＤＮセッションをリリースしないと判定する。これにより、以下の問題を防ぐことができる。すなわち、ＬＡＤＮがカバーするエリアからＵＥが離れた直後に、ＵＥのＬＡＤＮセッションがリリースされた場合、ＬＡＤＮがカバーするエリアにＵＥが再び入ったときに、ＬＡＤＮセッションがＵＥ用に再度確立される必要があり、ＬＡＤＮセッションの確立を繰り返すことで、シグナリングオーバーヘッドの増加を引き起こすという問題である。
【０１００】
具体的な実施例では、Ｓ３０３における予め設定した期間の時間計測のためにタイマが用いられて、Ｓ３０３を実施してもよい。ある方法が以下に挙げることを含む。
【０１０１】
ＬＡＤＮがカバーするエリアからＵＥが離れたとセッション管理機能エンティティが判定した場合、セッション管理機能エンティティは、計時期間が予め設定した期間であるタイマを始動させ、ＬＡＤＮがカバーするエリアにＵＥが再び入るかどうかを検出し始める。ＬＡＤＮがカバーするエリアにＵＥが再び入ることが、タイマが終了する前に検出されている場合、セッション管理機能エンティティは、ＬＡＤＮセッションをリリースしないと判定し、タイマをオフにする。ＬＡＤＮがカバーするエリアにＵＥが再び入ることが、タイマが終了したときに検出されていない場合、セッション管理機能エンティティはＬＡＤＮセッションをリリースする。
【０１０２】
Ｓ３０３において、ＬＡＤＮがカバーするエリアにＵＥが再び入るかどうかをセッション管理機能エンティティが検出するのに用いられる方法については、ＬＡＤＮがカバーするエリアからＵＥが離れたかどうかを判定するのに、セッション管理機能エンティティにより用いられる方法を参照されたい。詳細はここで繰り返さない。
【０１０３】
任意選択的に、セッション管理機能エンティティが、ＬＡＤＮがカバーするエリアからＵＥが離れたと判定し、次いで、ＬＡＤＮセッションの停止をトリガした後に、ＬＡＤＮがカバーするエリアにＵＥが再び入ることを、予め設定した期間内にセッション管理機能エンティティが検出せず、予め設定した期間が経過した場合、セッション管理機能エンティティは、ＬＡＤＮセッションをリリースするかどうかを判定することが一時的にできない。この場合、ＬＡＤＮセッションはこの時点で休止状態にあり、セッション管理機能エンティティは、ＬＡＤＮがカバーするエリアにＵＥが再び入ることを検出しなかったので、ＬＡＤＮセッションを用いてデータ伝送を実行するようＵＥが要求するのに用いられるサービス要求（Ｓｅｒｖｉｃｅ  Ｒｅｑｕｅｓｔ、ＳＲ）メッセージを、セッション管理機能エンティティがＵＥから受信した場合、セッション管理機能エンティティは、ＳＲメッセージに対応する要求が失敗したことを示す応答メッセージをＵＥに送信する。任意選択的に、ＳＲメッセージはさらに、ＵＥの位置を示すのに用いられてもよく、その結果、セッション管理機能エンティティは、ＳＲメッセージにより示されるＵＥ位置に基づいて、ＬＡＤＮがカバーするエリアにＵＥが再び入らなかったと判定することができる。例えば、予め設定した期間が５分であり、セッション管理機能エンティティは、２分のところで、ＳＲメッセージをＵＥから受信する。このときまで、セッション管理機能エンティティは、ＬＡＤＮがカバーするエリアにＵＥが再び入ることを検出しなかったので、セッション管理機能エンティティは、ＳＲメッセージに対応する要求が失敗したことを示す応答メッセージをＵＥに送信する。
【０１０４】
任意選択的に、セッション管理機能エンティティがＬＡＤＮセッションをリリースしないと判定した後に、ＬＡＤＮセッションは休止状態にあるため、セッション管理機能エンティティが、ＬＡＤＮセッションを用いてデータ伝送を実行するよう要求するＳＲメッセージをＵＥから受信した場合、セッション管理機能エンティティはＬＡＤＮセッションの起動をトリガする。その結果、ＵＥは、起動したＬＡＤＮセッションを用いてデータ伝送を直ちに実行することができる。
【０１０５】
以下では、図２に示す５Ｇシステムを一例として用いて、本願のこの実施形態において提供されるセッション処理方法を説明する。
【０１０６】
［例１］
【０１０７】
例えば、図２に示す５Ｇシステムでは、Ｘｎインタフェースに基づいてＵＥがＲＡＮ間でハンドオーバーを実行するプロセスが、ＬＡＤＮセッション処理プロセスと組み合わされる。Ｘｎインタフェースは、ソースＲＡＮとターゲットＲＡＮとの間のインタフェースである。本願のこの実施形態において提供されるセッション処理方法に用いられる、５Ｇシステムのネットワークエレメントには、ソースＲＡＮ、ターゲットＲＡＮ、ＡＭＦ、ＳＭＦ、及びＵＰＦなどが含まれる。図４Ａ及び図４Ｂに示すように、ネットワークエレメント間のインタラクションのプロセスは次の通りである。
【０１０８】
Ｓ４０１：ターゲットＲＡＮは、Ｎ２メッセージをＡＭＦに送信する。
【０１０９】
ＵＥがソースＲＡＮからターゲットＲＡＮにハンドオーバーされた後に、ターゲットＲＡＮはＮ２メッセージをＡＭＦに送信する。Ｎ２メッセージは、ＵＥの位置情報と、Ｎ２インタフェースベースのセッション管理（Ｓｅｓｓｉｏｎ  Ｍａｎａｇｅｍｅｎｔ、ＳＭ）情報とを含み、ＳＭ情報は、ＵＥの全ての起動状態にあるＬＡＤＮセッションのＮ３トンネル情報を含む。
【０１１０】
Ｓ４０２：ＡＭＦは、ＬＡＤＮがカバーするエリアからＵＥが離れたと判定する。
【０１１１】
ターゲットＲＡＮにより送信されるＮ２メッセージをＡＭＦが受信した後に、ＡＭＦは、Ｎ２メッセージに含まれるＵＥの位置情報と、ＡＭＦにより予め格納された、ＬＡＤＮがカバーするエリアに関する情報とに基づいて、ＬＡＤＮがカバーするエリアからＵＥが離れたと判定する。
【０１１２】
Ｓ４０３：ＡＭＦは、セッション更新要求メッセージをＳＭＦに送信する。
【０１１３】
ＡＭＦによりＳＭＦに送信されるセッション更新要求メッセージは、ＬＡＤＮがカバーするエリアからＵＥが離れたことを示す情報を含む。
【０１１４】
Ｓ４０４：ＳＭＦは、ＬＡＤＮがカバーするエリアからＵＥが離れたと判定し、ＬＡＤＮセッションの停止をトリガして、タイマを始動させる。
【０１１５】
ＡＭＦにより送信されるセッション更新要求メッセージを受信した後に、ＳＭＦは、受信したセッション更新要求メッセージに含まれる、ＬＡＤＮがカバーするエリアからＵＥが離れたことを示す情報に基づいて、ＬＡＤＮがカバーするエリアからＵＥが離れたと直接判定する。ＬＡＤＮがカバーするエリアからＵＥが離れたとＳＭＦが判定した後に、ＳＭＦは、ＬＡＤＮセッションの停止をトリガし、計時期間が予め設定した期間であるタイマを始動させる。計時期間の開始時点は、ＬＡＤＮがカバーするエリアからＵＥが離れたとＳＭＦが判定した時点であってよい。
【０１１６】
ＳＭＦがＬＡＤＮセッションの停止をトリガすることは、ＬＡＤＮセッションのエアインタフェースリソース及びＮ３トンネルリソースをリリースすることを含む。Ｓ４０４が実行された後に、以下に挙げるＳ４０５〜Ｓ４０８の４つの段階が実行されて、ＬＡＤＮセッションのエアインタフェースリソースをリリースし、以下に挙げるＳ４０９及びＳ４１０の２つの段階が実行されて、ＬＡＤＮセッションのＮ３トンネルリソースをリリースする。
【０１１７】
Ｓ４０５：ＳＭＦは、セッション更新応答メッセージをＡＭＦに送信する。
【０１１８】
ＳＭＦによりＡＭＦに送信されるセッション更新応答メッセージは、ＵＥのＬＡＤＮセッションを停止するよう命令する識別子を含む。
【０１１９】
Ｓ４０６：ＡＭＦは、ＬＡＤＮセッションのエアインタフェースリソースをリリースすると判定する。
【０１２０】
ＳＭＦにより送信されるセッション更新応答メッセージを受信した後に、ＡＭＦは、セッション更新応答メッセージに含まれる、ＵＥのＬＡＤＮセッションを停止するよう命令する識別子に基づいて、ＵＥのＬＡＤＮセッションにより占有されているエアインタフェースリソースをリリースすると判定する。
【０１２１】
Ｓ４０７：ＡＭＦは、Ｎ２応答メッセージをターゲットＲＡＮに送信する。
【０１２２】
ＵＥのＬＡＤＮセッションにより占有されているエアインタフェースリソースをリリースすると判定した後に、ＡＭＦはＮ２応答メッセージをターゲットＲＡＮに送信する。Ｎ２応答メッセージは、ＵＥのＬＡＤＮセッションを停止するよう命令する識別子を含む。
【０１２３】
Ｓ４０８：ＬＡＤＮセッションのエアインタフェースリソースをリリースする。
【０１２４】
ターゲットＲＡＮがＡＭＦにより送信されるＮ２応答メッセージを受信した後に、ターゲットＲＡＮは、Ｎ２応答メッセージに含まれる、ＵＥのＬＡＤＮセッションを停止するよう命令する識別子に基づいて、ＵＥのＬＡＤＮセッションにより占有されているエアインタフェースリソースをリリースする。ターゲットＲＡＮは、ＵＥとやり取りして、ＵＥのＬＡＤＮセッションにより占有されているエアインタフェースリソースをリリースする。
【０１２５】
Ｓ４０９：ＳＭＦは、ＬＡＤＮセッションのＮ３トンネル情報をリリースするよう命令するメッセージをＵＰＦに送信する。
【０１２６】
Ｓ４１０：ＵＰＦは、ＬＡＤＮセッションのＮ３トンネル情報をリリースする。
【０１２７】
ＳＭＦにより送信される、ＬＡＤＮセッションのＮ３トンネル情報をリリースするよう命令するメッセージを受信した後に、ＵＰＦは、ＬＡＤＮセッションのＮ３トンネル情報をリリースする。Ｎ３インタフェースは、ＲＡＮとＵＰＦとの間のユーザプレーンインタフェースであり、Ｎ３インタフェースは、ＲＡＮとＵＰＦとの間のシグナリング伝送に用いられてよい。
【０１２８】
この実施形態では、Ｓ４０５〜Ｓ４０８の４つの段階の実行と、Ｓ４０９及びＳ４１０の２つの段階の実行の順序は限定されるものではなく、すなわち、ＬＡＤＮセッションのエアインタフェースリソースのリリースと、ＬＡＤＮセッションのトンネルリソースのリリースの順序は限定されるものではないことに留意されたい。
【０１２９】
Ｓ４１１：ＳＭＦは、タイマの計時期間内に、またＬＡＤＮがカバーするエリアにＵＥが再び入るかどうかを検出した結果に応じて、ＬＡＤＮセッションをリリースするかどうかを判定する。
【０１３０】
ＳＭＦが、タイマの計時期間内に、ＬＡＤＮがカバーするエリアにＵＥが再び入ったことを検出した場合、Ｓ４１２が実行される。ＳＭＦが、タイマの計時期間内に、ＬＡＤＮがカバーするエリアにＵＥが再び入ることを検出しなかった場合、Ｓ４１３が実行される。
【０１３１】
Ｓ４１２：ＳＭＦは、ＬＡＤＮセッションをリリースしないと判定する。
【０１３２】
タイマが終了する前に、言い換えれば、タイマの計時期間内に、ＬＡＤＮがカバーするエリアにＵＥが再び入ることをＳＭＦが検出した場合、ＳＭＦは、ＬＡＤＮセッションをリリースしないと判定し、タイマをオフにする。
【０１３３】
Ｓ４１３：ＳＭＦはＬＡＤＮセッションをリリースする。
【０１３４】
ＳＭＦが、タイマが終了したときに、ＬＡＤＮがカバーするエリアにＵＥが再び入ることを検出していない場合、ＳＭＦはＬＡＤＮセッションをリリースする。
【０１３５】
Ｓ４１４：ＳＭＦは、ＬＡＤＮセッションをリリースするよう命令するメッセージをＡＭＦに送信する。
【０１３６】
Ｓ４１５：ＬＡＤＮセッションをリリースする。
【０１３７】
ＡＭＦが、ＳＭＦにより送信される、ＬＡＤＮセッションをリリースするよう命令するメッセージを受信した後に、ＡＭＦは、メッセージの命令に従ってＬＡＤＮセッションをリリースする。
【０１３８】
ＳＭＦがＳ４１３においてＬＡＤＮセッションをリリースするプロセスと、ＡＭＦがＳ４１５においてＬＡＤＮセッションをリリースするプロセスとの両方については、先行技術を参照されたい。詳細はここで説明しない。
【０１３９】
図４Ａ及び図４Ｂに示すネットワークエレメント間のインタラクションのプロセスにおける各段階の具体的な実施方法については、Ｓ３０１〜Ｓ３０３の関連する説明を参照されたい。詳細はここで繰り返さない。
【０１４０】
［例２］
【０１４１】
例えば、図２に示す５Ｇシステムでは、Ｘｎインタフェースに基づいてＵＥがＲＡＮ間でハンドオーバーを実行するプロセスが、ＬＡＤＮセッション処理プロセスと組み合わされる。本願のこの実施形態において提供されるセッション処理方法に用いられる、５Ｇシステムのネットワークエレメントには、ソースＲＡＮ、ターゲットＲＡＮ、ＡＭＦ、ＳＭＦ、及びＵＰＦなどが含まれる。ネットワークエレメント間のインタラクションのプロセスが、図５Ａ及び図５Ｂに示されている。図５Ａ及び図５Ｂに示すインタラクションプロセスは、図４Ａ及び図４Ｂに示すインタラクションプロセスと同様である。２つのインタラクションプロセスの類似した部分は説明しないが、２つのインタラクションプロセスの主な違いは、以下に挙げるいくつかの段階にある。
【０１４２】
Ｓ５０２：ＡＭＦは、ＵＥの位置情報を含むセッション更新要求メッセージをＳＭＦに送信する。
【０１４３】
ターゲットＲＡＮにより送信されるＮ２メッセージを受信した後に、ＡＭＦはＮ２メッセージに含まれるＵＥの位置情報を取得し、セッション更新要求メッセージをＳＭＦに送信する。セッション更新要求メッセージはＵＥの位置情報を含む。
【０１４４】
Ｓ５０３：ＳＭＦは、ＬＡＤＮがカバーするエリアからＵＥが離れたと判定し、ＬＡＤＮセッションの停止をトリガして、タイマを始動させる。
【０１４５】
ＡＭＦにより送信されるセッション更新要求メッセージをＳＭＦが受信した後に、ＳＭＦは、受信したセッション更新要求メッセージに含まれるＵＥの位置情報と、ＳＭＦにより予め格納された、ＬＡＤＮがカバーするエリアに関する情報とに基づいて、ＬＡＤＮがカバーするエリアからＵＥが離れたと判定する。ＬＡＤＮがカバーするエリアからＵＥが離れたとＳＭＦが判定した後に、ＳＭＦは、ＬＡＤＮセッションの停止をトリガし、計時期間が予め設定した期間であるタイマを始動させる。計時期間の開始時点は、ＬＡＤＮがカバーするエリアからＵＥが離れたとＳＭＦが判定した時点であってよい。
【０１４６】
図５Ａ及び図５Ｂに示すネットワークエレメント間のインタラクションのプロセスにおける段階Ｓ５０１及びＳ５０３〜Ｓ５１４の具体的な実施方法については、図４Ａ及び図４Ｂに示すネットワークエレメント間のインタラクションのプロセスにおける段階Ｓ４０１及びＳ４０４〜Ｓ４１５の関連する説明を参照されたい。詳細はここで繰り返さない。
【０１４７】
［例３］
【０１４８】
図２に示す５Ｇシステムにおける個別の情報交換プロセスを用いてＬＡＤＮセッションを処理するプロセスが、一例として用いられる。５Ｇシステムのネットワークエレメント間のインタラクションの具体的なプロセスが、図６に示されている。本願のこの実施形態において提供されるセッション処理方法に用いられる、５Ｇシステムのネットワークエレメントは、ソースＲＡＮ、ターゲットＲＡＮ、ＡＭＦ、ＳＭＦ、及びＵＰＦなどを含む。図６に示すように、ネットワークエレメント間のインタラクションのプロセスは、次の通りである。
【０１４９】
Ｓ６０１：ＡＭＦは、ＵＥの位置情報をＳＭＦに送信する。
【０１５０】
ネットワークがＵＥ用のＬＡＤＮセッションを確立した後に、ＡＭＦはＵＥの位置情報をＳＭＦに送信する。
【０１５１】
任意選択的に、Ｓ６０１の前に、ＳＭＦは、ＵＥの位置情報をＳＭＦに報告するようＡＭＦに要求してよい。ＳＭＦはさらに、ＡＭＦがＵＥの位置情報をＳＭＦに報告する頻度、ＡＭＦがＵＥの位置情報をＳＭＦに報告する回数などを要求してよい。例えば、ＳＭＦは、ＵＥの位置情報をＳＭＦに一度だけ報告するようＡＭＦに要求してよい。別の例では、ＳＭＦは、ＵＥの位置情報をＳＭＦに１秒ごとに報告するようＡＭＦに要求してよい。
【０１５２】
Ｓ６０２：ＳＭＦは、ＬＡＤＮがカバーするエリアからＵＥが離れたと判定し、ＬＡＤＮセッションの停止をトリガして、タイマを始動させる。
【０１５３】
ＳＭＦが、ＡＭＦにより送信されるＵＥの位置情報を受信した後に、ＳＭＦは、受信したＵＥの位置情報と、ＬＡＤＮがカバーするエリアに関する予め格納された情報とに基づいて、ＬＡＤＮがカバーするエリアからＵＥが離れたと判定する。
【０１５４】
ＬＡＤＮがカバーするエリアからＵＥが離れたとＳＭＦが判定した後に、ＳＭＦは、ＬＡＤＮセッションの停止をトリガし、計時期間が予め設定した期間であるタイマを始動させる。ＳＭＦがＬＡＤＮセッションの停止をトリガするプロセスでは、ＳＭＦは、ＵＥのＬＡＤＮセッションを停止するよう命令するメッセージをＡＭＦに送信する、又は、ＳＭＦは、ＬＡＤＮセッションのＮ３トンネル情報をリリースするよう命令するメッセージをＵＰＦに送信する。
【０１５５】
ＳＭＦがＬＡＤＮセッションの停止をトリガすることは、ＬＡＤＮセッションのエアインタフェースリソース及びダウンリンクトンネルリソースをリリースすることを含む。Ｓ６０２が実行された後に、Ｓ６０３が実行されて、ＬＡＤＮセッションのエアインタフェースリソース及びダウンリンクトンネルリソースをリリースする。
【０１５６】
Ｓ６０３：ＬＡＤＮセッションを停止する。
【０１５７】
ＡＭＦ及びターゲットＲＡＮがＳ６０３においてＬＡＤＮセッションのエアインタフェースリソースをリリースするプロセスは、図４Ａ及び図４Ｂに示すインタラクションプロセスにおけるＳ４０５〜Ｓ４０８の４つの段階と同様である。また、ＵＰＦがＬＡＤＮセッションのダウンリンクトンネルリソースをリリースするプロセスは、図４Ａ及び図４Ｂに示すインタラクションプロセスにおけるＳ４０９及びＳ４１０の２つの段階と同様である。詳細はここで繰り返さない。
【０１５８】
図６に示すネットワークエレメント間のインタラクションのプロセスにおけるＳ６０４〜Ｓ６０８の５つの段階は、図４Ａ及び図４Ｂに示すネットワークエレメント間のインタラクションのプロセスにおけるＳ４１１〜Ｓ４１５の５つの段階と同様である。詳細はここで繰り返さない。
【０１５９】
［例４］
【０１６０】
図２に示す５Ｇシステムの個別の情報交換プロセスを用いてＬＡＤＮセッションを処理するプロセスが、一例として用いられる。本願のこの実施形態において提供されるセッション処理方法に用いられる、５Ｇシステムのネットワークエレメントには、ソースＲＡＮ、ターゲットＲＡＮ、ＡＭＦ、ＳＭＦ、及びＵＰＦなどが含まれる。ネットワークエレメント間のインタラクションのプロセスが図７に示されている。図７に示すインタラクションプロセスは、図６に示すインタラクションプロセスと同様である。２つのインタラクションプロセスの類似した部分は説明しないが、２つのインタラクションプロセスの主な違いは、以下に挙げる２つの段階にある。
【０１６１】
Ｓ７０１：ＡＭＦは、ＬＡＤＮがカバーするエリアからＵＥが離れたと判定する。
【０１６２】
ＡＭＦは、ＵＥの位置情報と、ＬＡＤＮがカバーするエリアに関する予め格納された情報とに基づいて、ＬＡＤＮがカバーするエリアからＵＥが離れたと判定する。
【０１６３】
Ｓ７０２：ＡＭＦは、ＬＡＤＮがカバーするエリアからＵＥが離れたことを示す情報をＳＭＦに送信する。
【０１６４】
Ｓ７０３：ＳＭＦは、ＬＡＤＮがカバーするエリアからＵＥが離れたと判定する。
【０１６５】
ＳＭＦが、ＡＭＦにより送信される、ＬＡＤＮがカバーするエリアからＵＥが離れたことを示す情報を受信した後に、ＳＭＦは、この情報に基づいて、ＬＡＤＮがカバーするエリアからＵＥが離れたと直接判定する。
【０１６６】
図７に示すネットワークエレメント間のインタラクションのプロセスにおける段階Ｓ７０４〜Ｓ７０９の具体的な実施方法については、図６に示すネットワークエレメント間のインタラクションのプロセスにおける段階Ｓ６０３〜Ｓ６０８の関連する説明を参照されたい。詳細はここで繰り返さない。
【０１６７】
本願のこの実施形態において提供されるセッション処理方法では、ＬＡＤＮがカバーするエリアに入ったＵＥ用にセッション管理機能エンティティにより確立されたＬＡＤＮセッションの場合、セッション管理機能エンティティは、ＬＡＤＮがカバーするエリアからＵＥが離れたと判定した後に、ＬＡＤＮセッションの停止をトリガし、予め設定した期間内に、ＬＡＤＮがカバーするエリアにＵＥが再び入るかどうかに応じて、ＬＡＤＮセッションをリリースするかどうかを判定する。このように、ＬＡＤＮがカバーするエリアからＵＥが離れる前に確立されているＬＡＤＮセッションが、ＬＡＤＮがカバーするエリアからＵＥが離れた後に処理される。したがって、本願のこの実施形態において提供される技術的解決手段によれば、ＬＡＤＮセッションにより占有されるネットワークリソースを適切に利用することができるので、ネットワークリソースの利用率を向上させることができる。
【０１６８】
同じ適用概念に基づいて、本願の一実施形態がさらに、セッション管理機能エンティティを提供する。セッション管理機能エンティティは、図３に対応する実施形態において提供される方法を実施できる。図８に示すように、セッション管理機能エンティティは、処理ユニット８０１及び送受信機ユニット８０２を含む。
【０１６９】
処理ユニット８０１は、ローカルエリアデータネットワークＬＡＤＮがカバーするエリアからユーザ機器ＵＥが離れたと判定するように構成される。
【０１７０】
送受信機ユニット８０２は、ＬＡＤＮセッションの停止をトリガするように構成され、ＬＡＤＮセッションは、ＬＡＤＮがカバーするエリアにおいてＵＥがデータ伝送を実行するのに用いられるセッションである。
【０１７１】
処理ユニット８０１はさらに、予め設定した期間内に、またＬＡＤＮがカバーするエリアにＵＥが再び入るかどうかに応じて、ＬＡＤＮセッションをリリースするかどうかを判定するように構成される。
【０１７２】
任意選択的に、予め設定した期間内に、またＬＡＤＮがカバーするエリアにＵＥが再び入るかどうかに応じて、ＬＡＤＮセッションをリリースするかどうかを判定する場合、処理ユニット８０１は具体的に、ＵＥが、予め設定した期間内に、ＬＡＤＮがカバーするエリアに再び入らなかった場合、ＬＡＤＮセッションをリリースするように構成される。
【０１７３】
任意選択的に、予め設定した期間内に、またＬＡＤＮがカバーするエリアにＵＥが再び入るかどうかに応じて、ＬＡＤＮセッションをリリースするかどうかを判定するとき、処理ユニット８０１は具体的に、予め設定した期間内に、ＬＡＤＮがカバーするエリアにＵＥが再び入った場合、ＬＡＤＮセッションをリリースしないと判定するように構成される。
【０１７４】
任意選択的に、処理ユニット８０１はさらに、ＬＡＤＮセッションをリリースしないと判定した後に、ＬＡＤＮセッションを用いてデータ伝送を実行するよう要求するサービス要求ＳＲメッセージが送受信機ユニット８０２を用いてＵＥから受信された場合、送受信機ユニット８０２を用いてＬＡＤＮセッションの起動をトリガするように構成される。
【０１７５】
任意選択的に、送受信機ユニット８０２はさらに、送受信機ユニット８０２がＬＡＤＮセッションの停止をトリガした後に、且つ処理ユニット８０１がＬＡＤＮセッションをリリースするかどうかを判定する前に、ＬＡＤＮセッションを用いてデータ伝送を実行するよう要求するサービス要求ＳＲメッセージをＵＥから受信した場合、ＳＲメッセージに対応する要求が失敗したことを示す応答メッセージをＵＥに送信するように構成される。
【０１７６】
任意選択的に、ローカルエリアデータネットワークＬＡＤＮがカバーするエリアからユーザ機器ＵＥが離れたと判定する場合、処理ユニット８０１は具体的に、送受信機ユニット８０２を用いて、ＵＥの位置を示すのに用いられる指示情報をモビリティ管理機能エンティティから受信し、指示情報に基づいて、ＬＡＤＮがカバーするエリアからＵＥが離れたと判定するように構成される。
【０１７７】
任意選択的に、指示情報はＵＥの位置情報を含んでよく、指示情報がＵＥの位置情報を含む場合、指示情報に基づいて、ＬＡＤＮがカバーするエリアからＵＥが離れたと判定するとき、処理ユニット８０１は具体的に、ＵＥの位置情報により示される位置が、セッション管理機能エンティティにより予め格納された、ＬＡＤＮがカバーするエリアに関する情報により示されるエリアにない場合、ＬＡＤＮがカバーするエリアからＵＥが離れたと判定するように構成される。
【０１７８】
任意選択的に、指示情報は、ＬＡＤＮがカバーするエリアからＵＥが離れたことを示す情報を含んでよく、指示情報が、ＬＡＤＮがカバーするエリアからＵＥが離れたことを示す情報を含む場合、指示情報に基づいて、ＬＡＤＮがカバーするエリアからＵＥが離れたと判定するとき、処理ユニット８０１は具体的に、指示情報に含まれる、ＬＡＤＮがカバーするエリアからＵＥが離れたことを示す情報に基づいて、ＬＡＤＮがカバーするエリアからＵＥが離れたと判定するように構成される。
【０１７９】
任意選択的に、ＵＥの位置情報はＵＥが位置するセルのセル識別情報を含み、ＬＡＤＮがカバーするエリアに関する情報は、ＬＡＤＮがカバーするエリア内の全てのセルのセル識別情報を含む、又は、ＵＥの位置情報はＵＥのトラッキングエリア識別情報ＴＡＩを含み、ＬＡＤＮがカバーするエリアに関する情報は、ＬＡＤＮがカバーするエリア内の全てのＴＡＩを含む。
【０１８０】
任意選択的に、ＬＡＤＮセッションの停止をトリガする場合、送受信機ユニット８０２は具体的に、ＬＡＤＮセッションのダウンリンクトンネルリソースをリリースするよう命令するメッセージをユーザプレーン機能エンティティに送信する、又は、ＬＡＤＮセッションのエアインタフェースリソースをリリースするよう命令するメッセージをモビリティ管理機能エンティティに送信するように構成される。
【０１８１】
本願のこの実施形態におけるユニットの分割は単に一例にすぎず、論理的機能の分割でしかないことに留意されたい。別の分割方式が、実際の実装において利用可能であってよい。本願のこの実施形態の各機能ユニットは、１つの処理ユニットに統合されてもよく、各ユニットは物理的に単独で存在してもよく、２つ又はそれより多くのユニットが１つのユニットに統合されてもよい。統合されたユニットは、ハードウェアの形態で実装されてもよく、ソフトウェア機能ユニットの形態で実装されてもよい。
【０１８２】
統合されたユニットがソフトウェア機能ユニットの形態で実装され、個別の製品として販売又は使用される場合、統合されたユニットは、コンピュータ可読記憶媒体に格納されてよい。そのような理解に基づいて、本質的には本願の技術的解決手段、又は先行技術に寄与する部分、又はこの技術的解決手段の全て若しくは一部が、ソフトウェア製品の形態で実装されてよい。コンピュータソフトウェア製品は、記憶媒体に格納され、コンピュータデバイス（これは、パーソナルコンピュータ、サーバ、又はネットワークデバイスなどであってよい）又はプロセッサ（ｐｒｏｃｅｓｓｏｒ）に、本願の実施形態において説明された方法の段階の全て若しくは一部を実行するように命令するいくつかの命令を含む。前述の記憶媒体には、プログラムコードを格納できるあらゆる媒体が含まれ、例えば、ＵＳＢフラッシュドライブ、着脱可能なハードディスク、リードオンリメモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、又は光ディスクなどである。
【０１８３】
同じ適用概念に基づいて、本願の一実施形態がさらに、セッション管理機能エンティティを提供する。セッション管理機能エンティティは、図３に対応する実施形態において提供された方法を実施することができ、図８に示すセッション管理機能エンティティと同じ装置であってよい。図９に示すように、セッション管理機能エンティティは、プロセッサ９０１、送受信機９０２、バス９０３、及びメモリ９０４を含む。
【０１８４】
プロセッサ９０１は、メモリ９０３内のプログラムを読み出して、以下に挙げるプロセスを実行するように構成される。そのプロセスとは、ＬＡＤＮがカバーするエリアからＵＥが離れたと判定するプロセスと、送受信機９０２を用いて、ＬＡＤＮセッションの停止をトリガするプロセスであって、ＬＡＤＮセッションは、ＬＡＤＮがカバーするエリアにおいてＵＥがデータ伝送を実行するのに用いられるセッションである、プロセスと、予め設定した期間内に、またＬＡＤＮがカバーするエリアにＵＥが再び入るかどうかに応じて、ＬＡＤＮセッションをリリースするかどうかを判定するプロセスとである。
【０１８５】
送受信機９０２は、プロセッサ９０１の制御下で、データを送受信するように構成される。
【０１８６】
任意選択的に、ＬＡＤＮセッションをリリースするかどうかを判定するとき、プロセッサ９０１は具体的に、予め設定した期間内に、ＬＡＤＮがカバーするエリアにＵＥが再び入らなかった場合、ＬＡＤＮセッションをリリースするように構成される。
【０１８７】
任意選択的に、ＬＡＤＮセッションをリリースするかどうかを判定するとき、プロセッサ９０１は具体的に、予め設定した期間内に、ＬＡＤＮがカバーするエリアにＵＥが再び入った場合、ＬＡＤＮセッションをリリースしないと判定するように構成される。
【０１８８】
それに対応して、プロセッサ９０１はさらに、ＬＡＤＮセッションをリリースしないと判定した後に、ＬＡＤＮセッションを用いてデータ伝送を実行するよう要求するＳＲメッセージが送受信機９０２を用いてＵＥから受信された場合、ＬＡＤＮセッションの起動をトリガするように構成される。
【０１８９】
任意選択的に、プロセッサ９０１はさらに、送受信機９０２を用いてＬＡＤＮセッションの停止がトリガされた後に、且つプロセッサ９０１がＬＡＤＮセッションをリリースするかどうかを判定する前に、ＬＡＤＮセッションを用いてデータ伝送を実行するよう要求するＳＲメッセージが送受信機９０２を用いてＵＥから受信された場合、ＳＲメッセージに対応する要求が失敗したことを示す応答メッセージをＵＥに送受信機９０２を用いて送信するように構成される。
【０１９０】
任意選択的に、ローカルエリアデータネットワークＬＡＤＮがカバーするエリアからユーザ機器ＵＥが離れたと判定する場合、プロセッサ９０１は具体的に、送受信機９０２を用いて、ＵＥの位置を示すのに用いられる指示情報をモビリティ管理機能エンティティから受信し、指示情報に基づいて、ＬＡＤＮがカバーするエリアからＵＥが離れたと判定するように構成される。
【０１９１】
任意選択的に、指示情報はＵＥの位置情報を含んでよく、指示情報がＵＥの位置情報を含む場合、指示情報に基づいて、ＬＡＤＮがカバーするエリアからＵＥが離れたと判定するとき、プロセッサ９０１は具体的に、ＵＥの位置情報により示される位置が、セッション管理機能エンティティにより予め格納された、ＬＡＤＮがカバーするエリアに関する情報により示されるエリアにない場合、ＬＡＤＮがカバーするエリアからＵＥが離れたと判定するように構成される。
【０１９２】
任意選択的に、指示情報は、ＬＡＤＮがカバーするエリアからＵＥが離れたことを示す情報を含んでよく、指示情報が、ＬＡＤＮがカバーするエリアからＵＥが離れたことを示す情報を含む場合、指示情報に基づいて、ＬＡＤＮがカバーするエリアからＵＥが離れたと判定するとき、プロセッサ９０１は具体的に、指示情報に含まれる、ＬＡＤＮがカバーするエリアからＵＥが離れたことを示す情報に基づいて、ＬＡＤＮがカバーするエリアからＵＥが離れたと判定するように構成される。
【０１９３】
任意選択的に、ＵＥの位置情報はＵＥが位置するセルのセル識別情報を含み、ＬＡＤＮがカバーするエリアに関する情報は、ＬＡＤＮがカバーするエリア内の全てのセルのセル識別情報を含む、又は、ＵＥの位置情報はＵＥのトラッキングエリア識別情報ＴＡＩを含み、ＬＡＤＮがカバーするエリアに関する情報は、ＬＡＤＮがカバーするエリア内の全てのＴＡＩを含む。
【０１９４】
任意選択的に、送受信機９０２を用いてＬＡＤＮセッションの停止をトリガする場合、プロセッサ９０１は具体的に、ＬＡＤＮセッションのダウンリンクトンネルリソースをリリースするよう命令するメッセージを、送受信機９０２を用いてユーザプレーン機能エンティティに送信する、又は、ＬＡＤＮセッションのエアインタフェースリソースをリリースするよう命令するメッセージを、送受信機９０２を用いてモビリティ管理機能エンティティに送信するように構成される。
【０１９５】
プロセッサ９０１、送受信機９０２、及びメモリ９０４は、バス９０３を用いて互いに接続されている。バス９０３は、ペリフェラルコンポーネントインターコネクト（ｐｅｒｉｐｈｅｒａｌ  ｃｏｍｐｏｎｅｎｔ  ｉｎｔｅｒｃｏｎｎｅｃｔ、ＰＣＩ）バス、又は拡張業界標準アーキテクチャ（ｅｘｔｅｎｄｅｄ  ｉｎｄｕｓｔｒｙ  ｓｔａｎｄａｒｄ  ａｒｃｈｉｔｅｃｔｕｒｅ、ＥＩＳＡ）バスなどであってよい。バスは、アドレスバス、データバス、及び制御バスなどに分類され得る。
【０１９６】
図９では、バスアーキテクチャは、任意の数の相互接続バス及びブリッジを含んでよく、具体的には、プロセッサ９０１で表されている１つ又は複数のプロセッサ、及びメモリ９０４で表されているメモリの様々な回路を共に接続する。バスアーキテクチャはさらに、周辺機器、定電圧装置、及び電源管理回路などの様々な他の回路を共に接続し得る。これらのことは、当技術分野ではよく知られているので、本明細書ではさらに説明しない。バスインタフェースが、インタフェースを提供する。送受信機９０２は、送信機及び受信機を含む複数の要素であってよく、伝送媒体を介して他の様々な装置と通信を行うように構成されたユニットを提供する。プロセッサ９０１は、バスアーキテクチャの管理及び一般的な処理を担っており、メモリ９０４は、プロセッサ９０１がオペレーションを実行するときにプロセッサ９０１により用いられるデータを格納し得る。
【０１９７】
任意選択的に、プロセッサ９０１は、中央演算処理装置、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ−Ｐｒｏｇｒａｍｍａｂｌｅ  Ｇａｔｅ  Ａｒｒａｙ、ＦＰＧＡ）、又はコンプレックスプログラマブルロジックデバイス（Ｃｏｍｐｌｅｘ  Ｐｒｏｇｒａｍｍａｂｌｅ  Ｌｏｇｉｃ  Ｄｅｖｉｃｅ、ＣＰＬＤ）であってよい。
【０１９８】
本願の一実施形態がさらに、セッション処理システムを提供する。本システムのアーキテクチャは、上述したセッション処理システムのアーキテクチャと同じであってよい。図１０に示すように、セッション処理システムは、モビリティ管理機能エンティティ１００１及びセッション管理機能エンティティ１００２を含む。本システムの動作原理は次の通りである。
【０１９９】
セッション管理機能エンティティ１００２は、イベントサブスクリプション要求をモビリティ管理機能エンティティ１００１に送信する。イベントには、ＬＡＤＮがカバーするエリアからＵＥが離れることが含まれ得る。セッション管理機能エンティティ１００２により送信されるイベントサブスクリプション要求を受信した後に、ＬＡＤＮがカバーするエリアからＵＥが離れたと判定した場合、モビリティ管理機能エンティティ１００１は、ＬＡＤＮがカバーするエリアからＵＥが離れたことを通知する第１の通知メッセージをセッション管理機能エンティティ１００２に送信する。第１の通知メッセージを受信した後に、セッション管理機能エンティティ１００２は、第１の通知メッセージに基づいて第１のセッション操作をトリガしてよい。第１のセッション操作は、ＬＡＤＮセッションの停止又はＬＡＤＮセッションのリリースを含む。
【０２００】
具体的な実施例では、セッション管理機能エンティティ１００２が第１の通知メッセージを受信した後に、セッション管理機能エンティティ１００２は、第１の通知メッセージに基づいてＬＡＤＮセッションの停止をトリガしてよい。これにより、ＬＡＤＮがカバーするエリアからＵＥが離れた後に、ＬＡＤＮセッションにより占有されているダウンリンクトンネルリソース及びエアインタフェースリソースをリリースするのが容易になるので、ネットワークリソースの利用率が向上する。セッション管理機能エンティティ１００２が第１の通知メッセージを受信した後に、セッション管理機能エンティティ１００２は、第１の通知メッセージに基づいてＬＡＤＮセッションを代替的にリリースしてよい。これにより、ＬＡＤＮがカバーするエリアからＵＥが離れた後に、ＵＥのＬＡＤＮセッションがまだ確保されているために、リソースの無駄が生じるという問題を防ぐことができる。セッション管理機能エンティティ１００２が第１の通知メッセージを受信した後に、セッション管理機能エンティティ１００２はさらに、第１の通知メッセージに基づいてＬＡＤＮセッションを停止し、予め設定した期間内に、またＬＡＤＮがカバーするエリアにＵＥが再び入るかどうかに応じて、ＬＡＤＮセッションをリリースするかどうかを判定してよい。モビリティ管理機能エンティティ１００１は、ＵＥの位置情報と、ＬＡＤＮがカバーするエリアに関する予め格納された情報とに基づいて、ＬＡＤＮがカバーするエリアからＵＥが離れたと判定してよい。
【０２０１】
前述のセッション処理システムでは、イベントサブスクリプション要求におけるイベントはさらに、ＬＡＤＮがカバーするエリアにＵＥが再び入ることを含んでよい。モビリティ管理機能エンティティ１００１が、セッション管理機能エンティティ１００２により送信されるイベントサブスクリプション要求を受信した後に、イベントサブスクリプション要求におけるイベントが、ＬＡＤＮがカバーするエリアにＵＥが再び入ることを含む場合、且つＬＡＤＮがカバーするエリアにＵＥが再び入ったとモビリティ管理機能エンティティ１００１が判定した場合、モビリティ管理機能エンティティ１００１は、ＬＡＤＮがカバーするエリアにＵＥが再び入ったことを通知する第２の通知メッセージをセッション管理機能エンティティ１００２に送信する。第２の通知メッセージをモビリティ管理機能エンティティ１００１から受信した後に、セッション管理機能エンティティ１００２は第２のセッション操作をトリガする。第２のセッション操作は、ＬＡＤＮセッションを起動すること、又はＵＥとＬＡＤＮとの間のＬＡＤＮセッション確立をトリガすることを含む。モビリティ管理機能エンティティ１００１は、ＵＥの位置情報と、ＬＡＤＮがカバーするエリアに関する予め格納された情報とに基づいて、ＬＡＤＮがカバーするエリアにＵＥが入ったと判定してもよい。
【０２０２】
以下では、本願のこの実施形態において提供される技術的解決手段を詳細に説明する。
【０２０３】
本願の一実施形態がさらに、セッション処理方法を提供する。図１１に示すように、本方法は以下に挙げる段階を含む。
【０２０４】
Ｓ１１０１：セッション管理機能エンティティが、イベントサブスクリプション要求をモビリティ管理機能エンティティに送信する。
【０２０５】
イベントサブスクリプション要求におけるイベントは、ＬＡＤＮがカバーするエリアからＵＥが離れることを含んでよい。イベントサブスクリプション要求におけるイベントが、ＬＡＤＮがカバーするエリアからＵＥが離れることを含む場合、イベントサブスクリプション要求は、ＬＡＤＮがカバーするエリアからＵＥが離れたとモビリティ管理機能エンティティが判定した後に、ＬＡＤＮがカバーするエリアからＵＥが離れたというイベントをセッション管理機能エンティティに通知するようモビリティ管理機能エンティティに命令するのに用いられる。任意選択的に、イベントサブスクリプション要求におけるイベントはさらに、ＬＡＤＮがカバーするエリアにＵＥが入ることを含んでよい。ここで、イベントはさらに、ＵＥが、ＬＡＤＮがカバーするエリアから離れた後に、ＬＡＤＮがカバーするエリアに再び入ることを含むものと、理解されてよい。イベントサブスクリプション要求は、限定されるものではないが、ＵＥの識別子及びＬＡＤＮの識別子を含み、ＬＡＤＮの識別子はローカルデータネットワーク名（Ｌｏｃａｌ  Ｄａｔａ  Ｎｅｔｗｏｒｋ  Ｎｔｏｅ、Ｌｏｃａｌ  ＤＮＮ）であってよい。
【０２０６】
任意選択的に、セッション管理機能エンティティが、ＬＡＤＮがカバーするエリアからＵＥが離れるというイベントの通知、及びＬＡＤＮがカバーするエリアにＵＥが入るというイベントの通知をモビリティ管理機能エンティティからサブスクライブする予定でいる場合、セッション管理機能エンティティは、１つのイベントサブスクリプション要求をモビリティ管理機能エンティティに送信してもよく、２つイベントサブスクリプション要求を異なる時点でモビリティ管理機能エンティティに送信してもよい。このことは、この実施形態において限定されるものではない。例えば、ネットワークがＵＥ用のＬＡＤＮセッションを確立した後に、セッション管理機能エンティティは、ＬＡＤＮがカバーするエリアからＵＥが離れるというイベントの通知をサブスクライブするイベントサブスクリプション要求をモビリティ管理機能エンティティに送信し、モビリティ管理機能エンティティが、ＬＡＤＮがカバーするエリアからＵＥが離れたと判定し、次いで、第１の通知メッセージを送信した後に、セッション管理機能エンティティは、第１の通知メッセージを受信し、ＬＡＤＮがカバーするエリアにＵＥが入るというイベントの通知をサブスクライブするイベントサブスクリプション要求をモビリティ管理機能エンティティに送信する。
【０２０７】
Ｓ１１０２：ＬＡＤＮがカバーするエリアからＵＥが離れたと判定した場合、モビリティ管理機能エンティティは、第１の通知メッセージをセッション管理機能エンティティに送信する。
【０２０８】
Ｓ１１０２では、セッション管理機能エンティティにより送信されるイベントサブスクリプション要求をモビリティ管理機能エンティティが受信した後に、モビリティ管理機能エンティティは、イベントサブスクリプション要求に含まれているＵＥの識別子及びＬＡＤＮの識別子を取得し、次いで、ＬＡＤＮの識別子で示されるＬＡＤＮがカバーするエリアから、ＵＥの識別子で示されるＵＥが離れたかどうかを判定してよい。ＬＡＤＮがカバーするエリアからＵＥが離れたとモビリティ管理機能エンティティが判定した場合、モビリティ管理機能エンティティは、ＬＡＤＮがカバーするエリアからＵＥが離れたことを通知する第１の通知メッセージをセッション管理機能エンティティに送信してよい。
【０２０９】
Ｓ１１０２では、モビリティ管理機能エンティティは、ＵＥの位置情報と、ＬＡＤＮがカバーするエリアに関する情報とに基づいて、ＬＡＤＮがカバーするエリアからＵＥが離れたと判定してよい。ＬＡＤＮがカバーするエリアからＵＥが離れたと判定する方法は、ＬＡＤＮがカバーするエリアからＵＥが離れたかどうかを判定するのに、セッション管理機能エンティティによりＳ３０１で用いられる方法と同じである。具体的な方法については、ＬＡＤＮがカバーするエリアからＵＥが離れたかどうかを判定するのに、セッション管理機能エンティティによりＳ３０１で用いられる方法を参照されたい。詳細はここで繰り返さない。
【０２１０】
Ｓ１１０３：セッション管理機能エンティティは、第１の通知メッセージに基づいて第１のセッション操作をトリガする。
【０２１１】
ＬＡＤＮセッションは、ＬＡＤＮがカバーするエリアにおいてＵＥがデータ伝送を実行するのに用いられるセッションである。ＬＡＤＮセッションは、ＬＡＤＮがカバーするエリアからＵＥが離れた後でもまだ起動状態にあるが、ＬＡＤＮセッションは、ＬＡＤＮがカバーするエリアにおいてＵＥがデータ伝送を実行するためだけに用いられ得る。したがって、ＵＥは、ＬＡＤＮがカバーするエリアから離れた後に、起動状態にあるＬＡＤＮセッションを用いてデータ伝送を引き続き実行することを禁じられる必要がある。さらに、起動状態にあるＬＡＤＮセッションはネットワークリソースを占有しているので、起動状態にあるＬＡＤＮセッションは、ＬＡＤＮがカバーするエリアからＵＥが離れた後も引き続きネットワークリソースを占有し、その結果、ネットワークリソースの無駄が生じる。
【０２１２】
前述の理由に基づいて、Ｓ１１０３では、セッション管理機能エンティティが第１の通知メッセージをモビリティ管理機能エンティティから受信した後に、セッション管理機能エンティティが第１の通知メッセージに基づいて、ＬＡＤＮがカバーするエリアからＵＥが離れたと判定した場合、セッション管理機能エンティティは、第１のセッション操作をトリガして、ＬＡＤＮがカバーするエリアからＵＥが離れた後も、ＵＥが起動状態にあるＬＡＤＮセッションを用いて引き続きデータ伝送を実行するのを防ぎ、ＬＡＤＮセッションにより占有されているネットワークリソースをリリースし、ネットワークリソースの利用率を向上させることができる。
【０２１３】
Ｓ１１０３における第１のセッション操作は、ＬＡＤＮセッションのリリース又はＬＡＤＮセッションの停止を含む。ここで、セッション管理機能エンティティがＬＡＤＮセッションをリリースすることは、２つのケースを含む。以下では、第１のセッション操作に含まれるいくつかのケースを詳細に説明する。
【０２１４】
ケース１：第１のセッション操作がＬＡＤＮセッションの停止を含む場合、セッション管理機能エンティティは、ＬＡＤＮセッションにより占有されているダウンリンクトンネルリソースをリリースするよう命令するメッセージをユーザプレーン機能エンティティに送信してよく、ユーザプレーン機能エンティティは、このメッセージを受信した後に、ＬＡＤＮセッションにより占有されているダウンリンクトンネルリソースをリリースする。又は、セッション管理機能エンティティは、ＬＡＤＮセッションにより占有されているエアインタフェースリソースをリリースするよう命令するメッセージをモビリティ管理機能エンティティに送信してよく、モビリティ管理機能エンティティはこのメッセージを無線アクセスネットワークに転送し、無線アクセスネットワークはＵＥとやり取りして、ＬＡＤＮセッションにより占有されているエアインタフェースリソースをリリースする。
【０２１５】
ケース１では、ＬＡＤＮセッションの停止をトリガするのにセッション管理機能エンティティにより用いられる方法は、ＬＡＤＮセッションの停止をトリガするのにセッション管理機能エンティティによりＳ３０２で用いられる方法と同様であることに留意されたい。ＬＡＤＮセッションの停止をトリガするのにセッション管理機能エンティティによりケース１で用いられる具体的な実施方法については、ＬＡＤＮセッションの停止をトリガするのにセッション管理機能エンティティによりＳ３０２で用いられる方法を参照されたい。詳細はここで繰り返さない。
【０２１６】
ケース２：第１のセッション操作がＬＡＤＮセッションのリリースを含む場合、セッション管理機能エンティティが第１の通知メッセージに基づいてＬＡＤＮセッションをリリースすることは、具体的に次の通りである。すなわち、セッション管理機能エンティティは、第１の通知メッセージに基づいてＬＡＤＮセッションを直ちにリリースしてよい。
【０２１７】
ケース２において、セッション管理機能エンティティがＬＡＤＮセッションをリリースする具体的なプロセスについては、先行技術を参照してよいことに留意されたい。詳細はここで説明しない。
【０２１８】
ケース３：第１のセッション操作がＬＡＤＮセッションのリリースを含む場合、セッション管理機能エンティティが第１の通知メッセージに基づいてＬＡＤＮセッションをリリースすることは、具体的に次の通りである。すなわち、セッション管理機能エンティティは、第１の通知メッセージに基づいて、ＬＡＤＮセッションの停止をトリガし、予め設定した期間内に、またＬＡＤＮがカバーするエリアにＵＥが再び入るかどうかに応じて、ＬＡＤＮセッションをリリースするかどうかを判定する。セッション管理機能エンティティが、予め設定した期間内に、ＬＡＤＮがカバーするエリアにＵＥが再び入ることを検出しなかった場合、セッション管理機能エンティティはＬＡＤＮセッションをリリースすると判定する。
【０２１９】
以下では、予め設定した期間内に、ＬＡＤＮがカバーするエリアにＵＥが再び入ったかどうかを判定するのに、セッション管理機能エンティティにより用いられるケース３の方法を詳細に説明する。
【０２２０】
方法１：セッション管理機能エンティティによりモビリティ管理機能エンティティに送信されるイベントサブスクリプション要求におけるイベントが、ＬＡＤＮがカバーするエリアにＵＥが入ることを含む場合、セッション管理機能エンティティは、モビリティ管理機能エンティティからの第２の通知メッセージに基づいて、予め設定した期間内に、ＬＡＤＮがカバーするエリアにＵＥが再び入ったかどうかを判定してよい。第２の通知メッセージは、ＬＡＤＮがカバーするエリアにＵＥが入ったことを通知するのに用いられる。具体的には、セッション管理機能エンティティが第２の通知メッセージをモビリティ管理機能エンティティから予め設定した期間内に受信した場合、これは、ＬＡＤＮがカバーするエリアにＵＥが再び入ったことを示すので、セッション管理機能エンティティは、第２の通知メッセージに基づいて、ＬＡＤＮセッションをリリースしないと判定することができる。セッション管理機能エンティティが第２の通知メッセージをモビリティ管理機能エンティティから予め設定した期間内に受信しない場合、これは、予め設定した期間内に、ＬＡＤＮがカバーするエリアにＵＥが再び入らなかったことを示すので、セッション管理機能エンティティはＬＡＤＮセッションをリリースすることができる。
【０２２１】
方法２：セッション管理機能エンティティは、ＵＥの位置情報と、ＬＡＤＮがカバーするエリアに関する予め格納された情報とに基づいて、予め設定した期間内に、ＬＡＤＮがカバーするエリアにＵＥが再び入ったかどうかを判定する。
【０２２２】
予め設定した期間内に、またＬＡＤＮがカバーするエリアにＵＥが再び入るかどうかに応じて、ＬＡＤＮセッションをリリースするかどうかを判定するのに、セッション管理機能エンティティにより方法２において用いられる具体的な実施方法は、ＬＡＤＮセッションをリリースするかどうかを判定するのに、セッション管理機能エンティティによりＳ３０３において用いられる方法と同様であることに留意されたい。詳細については、ＬＡＤＮセッションをリリースするかどうかを判定するのに、セッション管理機能エンティティによりＳ３０３において用いられる方法を参照されたい。詳細はここで繰り返さない。
【０２２３】
任意選択的に、ケース３では、予め設定した期間の時間計測にタイマが用いられてよい。
【０２２４】
セッション管理機能エンティティが、前述のケース２及びケース３においてＬＡＤＮセッションをリリースした後に、セッション管理機能エンティティは、イベントのサブスクライブ解除を求める要求をモビリティ管理機能エンティティに送信してよい。イベントサブスクリプション要求におけるイベントが、ＬＡＤＮがカバーするエリアからＵＥが離れることだけを含む場合、セッション管理機能エンティティは、このタイプのイベントのサブスクライブ解除を求める要求をモビリティ管理機能エンティティに送信してよい。イベントサブスクリプション要求におけるイベントが、ＬＡＤＮがカバーするエリアからＵＥが離れること、及びＬＡＤＮがカバーするエリアにＵＥが入ることを含む場合、セッション管理機能エンティティは、この２つのタイプのイベントのサブスクライブ解除を求める要求をモビリティ管理機能エンティティに送信してもよく、又はこの２つのタイプのイベントのうちのいずれか１つのサブスクライブ解除を求める要求をモビリティ管理機能エンティティに送信してもよい。
【０２２５】
任意選択的に、イベントサブスクリプション要求におけるイベントが、ＬＡＤＮがカバーするエリアにＵＥが入ることを含む場合、セッション管理機能エンティティがイベントサブスクリプション要求をモビリティ管理機能エンティティに送信した後に、ＬＡＤＮがカバーするエリアにＵＥが再び入ったと判定したならば、モビリティ管理機能エンティティは第２の通知メッセージをセッション管理機能エンティティに送信する。セッション管理機能エンティティが第２の通知メッセージをモビリティ管理機能エンティティから受信した後に、第２の通知メッセージに基づいて、ＬＡＤＮがカバーするエリアにＵＥが再び入ったと判定した場合、セッション管理機能エンティティは第２のセッション操作をトリガしてよい。第２のセッション操作は、ＬＡＤＮセッションを起動すること、又はＵＥとＬＡＤＮとの間のＬＡＤＮセッション確立をトリガすることを含む。以下では、第２のセッション操作に含まれるいくつかのケースを詳細に説明する。
【０２２６】
ケース１：セッション管理機能エンティティが第１の通知メッセージに基づいてＬＡＤＮセッションの停止をトリガし、セッション管理機能エンティティが第２の通知メッセージに基づいて、ＬＡＤＮがカバーするエリアにＵＥが再び入ったと判定した場合、ＬＡＤＮセッションはこの時点で休止状態にあるため、ＬＡＤＮセッションを用いてデータ伝送を実行するよう要求するＳＲメッセージを、セッション管理機能エンティティがＵＥから受信するならば、セッション管理機能エンティティは、第１の通知メッセージに基づいてセッション管理機能エンティティが停止したＬＡＤＮセッションを起動してよく、その結果、ＵＥは、起動したＬＡＤＮセッションを用いてデータ伝送を直ちに実行することができる。
【０２２７】
ケース２：セッション管理機能エンティティが第１の通知メッセージに基づいてＬＡＤＮセッションをリリースした場合、セッション管理機能エンティティが第２の通知メッセージに基づいて、ＬＡＤＮがカバーするエリアにＵＥが再び入ったと判定した後に、ＬＡＤＮがカバーするエリアからＵＥが離れる前に確立されたＬＡＤＮセッションはリリースされているので、セッション管理機能エンティティがＵＥとＬＡＤＮとの間にＬＡＤＮセッションを確立するよう要求するメッセージをＵＥから受信したならば、セッション管理機能エンティティは、ＵＥとＬＡＤＮとの間のＬＡＤＮセッション確立をトリガし、ＵＥとＬＡＤＮとの間のＬＡＤＮセッション確立に成功したことを示す応答メッセージをＵＥに返してよく、その結果、ＵＥは、確立されたＬＡＤＮセッションを用いてデータ伝送を実行することができる。
【０２２８】
以下では、図２に示す５Ｇシステムを一例として用い、本願のこの実施形態において提供されるセッション処理方法を説明する。
【０２２９】
［例５］
【０２３０】
図２に示す５Ｇシステムにおける個別の情報交換プロセスを用いてＬＡＤＮセッションを処理するプロセスが、一例として用いられる。このプロセスでは、セッション管理機能エンティティがトリガする第１のセッション操作は、ＬＡＤＮセッションを停止することになる。本願のこの実施形態において提供されるセッション処理方法に用いられる、５Ｇシステムのネットワークエレメントには、ソースＲＡＮ、ターゲットＲＡＮ、ＡＭＦ、ＳＭＦ、及びＵＰＦなどが含まれる。図１２に示すように、ネットワークエレメント間のインタラクションのプロセスは、次の通りである。
【０２３１】
Ｓ１２０１：ＳＭＦはイベントサブスクリプション要求をＡＭＦに送信する。
【０２３２】
ネットワークがＵＥ用のＬＡＤＮセッションを確立した後に、ＳＭＦはイベントサブスクリプション要求をＡＭＦに送信する。イベントは、ＬＡＤＮがカバーするエリアからＵＥが離れることを含む。任意選択的に、イベントはさらに、ＬＡＤＮがカバーするエリアにＵＥが入ることを含んでよい。
【０２３３】
Ｓ１２０２：ターゲットＲＡＮは、ＵＥの位置情報をＡＭＦに送信する。
【０２３４】
ＵＥがソースＲＡＮからターゲットＲＡＮにハンドオーバーされた後に、ターゲットＲＡＮは、ＵＥの位置情報をＡＭＦに送信する。
【０２３５】
Ｓ１２０３：ＡＭＦは、ＬＡＤＮがカバーするエリアからＵＥが離れたと判定する。
【０２３６】
Ｓ１２０４：ＡＭＦは、第１の通知メッセージをＳＭＦに送信する。
【０２３７】
ＡＭＦによりＳＭＦに送信される第１の通知メッセージは、ＬＡＤＮがカバーするエリアからＵＥが離れたことを通知するのに用いられてよい。
【０２３８】
任意選択的に、ＡＭＦはＳ１２０４において、セッション更新要求メッセージをＳＭＦに送信してよい。セッション更新要求メッセージは、ＬＡＤＮがカバーするエリアからＵＥが離れたことを示す情報を含んでよい。
【０２３９】
Ｓ１２０５：ＳＭＦは、第１の通知メッセージに基づいて、ＬＡＤＮセッションの停止をトリガする。
【０２４０】
ＳＭＦがＬＡＤＮセッションの停止をトリガすることは、ＬＡＤＮセッションのエアインタフェースリソース及びＮ３トンネルリソースをリリースすることを含む。Ｓ１２０５において、ＡＭＦ及びターゲットＲＡＮがＬＡＤＮセッションのエアインタフェースリソースをリリースするプロセスは、図４Ａ及び図４Ｂに示すインタラクションプロセスにおけるＳ４０５〜Ｓ４０８の４つの段階と同様である。また、ＵＰＦがＬＡＤＮセッションのＮ３トンネルリソースをリリースするプロセスは、図４Ａ及び図４Ｂに示すインタラクションプロセスにおけるＳ４０９及びＳ４１０の２つの段階と同様である。詳細はここで繰り返さない。
【０２４１】
Ｓ１２０６：ＬＡＤＮセッションを停止する。
【０２４２】
Ｓ１２０７：ターゲットＲＡＮは、ＵＥの位置情報をＡＭＦに送信する。
【０２４３】
Ｓ１２０８：ＡＭＦは、ＬＡＤＮがカバーするエリアにＵＥが入ったと判定する。
【０２４４】
Ｓ１２０９：ＡＭＦは、第２の通知メッセージをＳＭＦに送信する。
【０２４５】
ＡＭＦによりＳＭＦに送信される第２の通知メッセージは、ＬＡＤＮがカバーするエリアにＵＥが入ったことを通知するのに用いられてよい。
【０２４６】
Ｓ１２１０：ＵＥは、ＳＲメッセージをＳＭＦに送信する。
【０２４７】
ＵＥによりＳＭＦに送信されるＳＲメッセージは、ＬＡＤＮセッションを用いてＵＥがデータ伝送を実行できるよう要求するのに用いられてよい。
【０２４８】
Ｓ１２０９及びＳ１２１０の２つの段階を実行する順序は、この実施形態において限定されるものではないことに留意されたい。
【０２４９】
Ｓ１２１１：ＳＭＦは、第１の通知メッセージに基づいてＳＭＦにより停止されたＬＡＤＮセッションの起動をトリガする。
【０２５０】
ＳＭＦがＳ１２１１においてＬＡＤＮセッションの起動をトリガするプロセスについては、先行技術を参照されたい。詳細はここで説明しない。
【０２５１】
この実施形態では、段階Ｓ１２０６〜Ｓ１２１１は、Ｓ１２０１においてＳＭＦによりＡＭＦに送信されるイベントサブスクリプション要求におけるイベントが、ＬＡＤＮがカバーするエリアにＵＥが入ることを含む場合に実行されることに留意されたい。
【０２５２】
図１２に示すネットワークエレメント間のインタラクションのプロセスにおける各段階の具体的な実施方法については、Ｓ８０１〜Ｓ８０３の関連する説明を参照されたい。詳細はここで繰り返さない。
【０２５３】
［例６］
【０２５４】
図２に示す５Ｇシステムの個別の情報交換プロセスを用いてＬＡＤＮセッションを処理するプロセスが、一例として用いられる。本願のこの実施形態において提供されるセッション処理方法に用いられる、５Ｇシステムのネットワークエレメントには、ソースＲＡＮ、ターゲットＲＡＮ、ＡＭＦ、ＳＭＦ、及びＵＰＦなどが含まれる。ネットワークエレメント間のインタラクションのプロセスが図１３に示されている。このインタラクションプロセスでは、セッション管理機能エンティティによりトリガされる第１のセッション操作は、ＬＡＤＮセッションをリリースすることになる。図１３に示すインタラクションプロセスは、図１２に示すインタラクションプロセスと同様である。２つのインタラクションプロセスの類似した部分は説明しないが、２つのインタラクションプロセスの主な違いは、以下に挙げるいくつかの段階にある。
【０２５５】
Ｓ１３０５：ＳＭＦは、第１の通知メッセージに基づいてＬＡＤＮセッションをリリースする。
【０２５６】
Ｓ１３０５及びＳ１３０６においてＬＡＤＮセッションをリリースするプロセスについては、図４Ａ及び図４Ｂに示すネットワークエレメント間のインタラクションのプロセスにおける段階Ｓ４１３〜Ｓ４１５の関連する説明を参照されたい。詳細はここで繰り返さない。
【０２５７】
任意選択的に、ＳＭＦがＬＡＤＮセッションをリリースした後に、ＳＭＦは、イベントのサブスクライブ解除を求める要求メッセージをＡＭＦに送信する。ＳＭＦが、ＬＡＤＮがカバーするエリアにＵＥが入るというイベントのサブスクライブ解除を求める要求メッセージをＡＭＦに送信した場合、段階Ｓ１３１０〜Ｓ１３１２は実行されない。
【０２５８】
Ｓ１３１０：ＵＥは、ＵＥとＬＡＤＮとの間にＬＡＤＮセッションを確立するよう要求するメッセージをＳＭＦに送信する。
【０２５９】
Ｓ１３０９及びＳ１３１０の２つの段階を実行する順序は、この実施形態において限定されるものではないことに留意されたい。
【０２６０】
Ｓ１３１１：ＳＭＦは、ＵＥとＬＡＤＮとの間にＬＡＤＮセッションを確立する。
【０２６１】
Ｓ１３１１においてＵＥとＬＡＤＮとの間にＬＡＤＮセッションを確立するプロセスについては、先行技術を参照されたい。詳細はここで説明しない。
【０２６２】
Ｓ１３１２：ＳＭＦは、応答メッセージをＵＥに返す。
【０２６３】
応答メッセージは、ＵＥとＬＡＤＮとの間のＬＡＤＮセッション確立に成功したことを示すのに用いられる。
【０２６４】
図１３に示すネットワークエレメント間のインタラクションのプロセスにおける段階Ｓ１３０１〜Ｓ１３０４及びＳ１３０６〜Ｓ１３０９の具体的な実施方法については、図１２に示すネットワークエレメント間のインタラクションのプロセスの関連する説明を参照されたい。詳細はここで繰り返さない。
【０２６５】
［例７］
【０２６６】
図２に示す５Ｇシステムの個別の情報交換プロセスを用いてＬＡＤＮセッションを処理するプロセスが、一例として用いられる。このインタラクションプロセスでは、セッション管理機能エンティティによりトリガされる第１のセッション操作は、ＬＡＤＮセッションをリリースすることになる。本願のこの実施形態において提供されるセッション処理方法に用いられる、５Ｇシステムのネットワークエレメントには、ソースＲＡＮ、ターゲットＲＡＮ、ＡＭＦ、ＳＭＦ、及びＵＰＦなどが含まれる。ネットワークエレメント間のインタラクションのプロセスが、図１４Ａ、図１４Ｂ、及び図１４Ｃに示されている。図１４Ａ、図１４Ｂ、及び図１４Ｃに示すインタラクションプロセスは、図１２及び図１３に示すインタラクションプロセスと同様である。図１４Ａ、図１４Ｂ、及び図１４Ｃに示すインタラクションプロセスと、図１２及び図１３に示すインタラクションプロセスとの類似した部分は説明しないが、図１４Ａ、図１４Ｂ、及び図１４Ｃに示すインタラクションプロセスと、図１２及び図１３に示すインタラクションプロセスとの主な違いは、以下に挙げるいくつかの段階にある。
【０２６７】
Ｓ１４０５：ＳＭＦは、第１の通知メッセージに基づいて、ＬＡＤＮセッションの停止をトリガし、タイマを始動させる。
【０２６８】
ＳＭＦは、第１の通知メッセージに基づいて、ＬＡＤＮセッションの停止をトリガし、計時期間が予め設定した期間であるタイマを始動させる。計時期間の開始時点は、ＳＭＦが第１の通知メッセージに基づいて、ＬＡＤＮがカバーするエリアからＵＥが離れたと判定した時点であってよい。
【０２６９】
図１４Ａ、図１４Ｂ、及び図１４Ｃに示すネットワークエレメント間のインタラクションのプロセスにおけるＳ１４０６の具体的な実施方法については、図１２に示すネットワークエレメント間のインタラクションのプロセスにおけるＳ１２０６の関連する説明を参照されたい。詳細はここで繰り返さない。
【０２７０】
Ｓ１４０７：ＳＭＦは、タイマの計時期間内に、またＬＡＤＮがカバーするエリアにＵＥが再び入るかどうかを検出した結果に応じて、ＬＡＤＮセッションをリリースするかどうかを判定する。
【０２７１】
ＳＭＦが、タイマの計時期間内に、ＬＡＤＮがカバーするエリアにＵＥが再び入ったことを検出した場合、Ｓ１４１１が実行される。ＳＭＦが、タイマの計時期間内に、ＬＡＤＮがカバーするエリアにＵＥが再び入ることを検出しなかった場合、Ｓ１４１４が実行される。
【０２７２】
図１４Ａ、図１４Ｂ、及び図１４Ｃに示すネットワークエレメント間のインタラクションのプロセスにおける段階Ｓ１４０８〜Ｓ１４１０の具体的な実施方法については、図１２に示すネットワークエレメント間のインタラクションのプロセスにおけるＳ１２０６〜Ｓ１２０８の関連する説明を参照されたい。詳細はここで繰り返さない。
【０２７３】
Ｓ１４１１：ＳＭＦは、ＬＡＤＮセッションをリリースしないと判定する。
【０２７４】
タイマが終了する前に、言い換えれば、タイマの計時期間内に、ＳＭＦが第２の通知メッセージを受信した場合、ＳＭＦは、ＬＡＤＮセッションをリリースしないと判定して、タイマをオフにする。
【０２７５】
図１４Ａ、図１４Ｂ、図１４Ｃに示すネットワークエレメント間のインタラクションのプロセスにおける段階Ｓ１４１２及びＳ１４１３の具体的な実施方法については、図１２に示すネットワークエレメント間のインタラクションのプロセスにおけるＳ１２１０及びＳ１２１１の関連する説明を参照されたい。詳細はここで繰り返さない。
【０２７６】
Ｓ１４１０はＳ１４１１の前に実行される必要があり、Ｓ１４１２はＳ１４１３の前に実行される必要があるが、Ｓ１４１０及びＳ１４１２の２つの段階の順序は、この実施形態において限定されるものではないことに留意されたい。例えば、段階Ｓ１４１０〜Ｓ１４１３を実行する順序は、Ｓ１４１２、Ｓ１４１０、Ｓ１４１１、及びＳ１４１３であってもよい。
【０２７７】
Ｓ１４１４：ＳＭＦはＬＡＤＮセッションをリリースする。
【０２７８】
ＳＭＦが、タイマが終了したときに第２の通知メッセージを受信していない場合、ＳＭＦはＬＡＤＮセッションをリリースする。任意選択的に、ＳＭＦがＬＡＤＮセッションをリリースした後に、ＳＭＦは、イベントのサブスクライブ解除を求める要求メッセージをＡＭＦに送信する。
【０２７９】
Ｓ１４１４〜Ｓ１４１６におけるＬＡＤＮセッションをリリースするプロセスについては、図４Ａ及び図４Ｂに示すネットワークエレメント間のインタラクションのプロセスにおける段階Ｓ４１３〜Ｓ４１５の関連する説明を参照されたい。詳細はここで繰り返さない。
【０２８０】
図１４Ａ、図１４Ｂ、及び図１４Ｃに示すネットワークエレメント間のインタラクションのプロセスにおける段階Ｓ１４１７〜Ｓ１４２２の具体的な実施方法については、図１３に示すネットワークエレメント間のインタラクションのプロセスにおける段階Ｓ１３０７〜Ｓ１３１２の関連する説明を参照されたい。詳細はここで繰り返さない。
【０２８１】
本願のこの実施形態において提供される技術的解決手段によれば、ＬＡＤＮセッションにより占有されるネットワークリソースを適切に利用することができるので、ネットワークリソースの利用率を向上させることができる。
【０２８２】
同じ適用概念に基づいて、本願の一実施形態がさらに、セッション管理機能エンティティを提供する。セッション管理機能エンティティは、図１１〜図１４Ｃに対応する実施形態において提供される方法を実施することができる。図１５に示すように、セッション管理機能エンティティは、送受信機ユニット１５０１及び処理ユニット１５０２を含む。
【０２８３】
送受信機ユニット１５０１は、イベントサブスクリプション要求をモビリティ管理機能エンティティに送信することであって、イベントは、ローカルエリアデータネットワークＬＡＤＮがカバーするエリアからユーザ機器ＵＥが離れることを含む、送信することと、ＬＡＤＮがカバーするエリアからＵＥが離れたことを通知する第１の通知メッセージをモビリティ管理機能エンティティから受信することとを行うように構成される。
【０２８４】
処理ユニット１５０２は、送受信機ユニット１５０１により受信される第１の通知メッセージに基づいて第１のセッション操作をトリガするように構成され、第１のセッション操作は、ＬＡＤＮセッションのリリース又はＬＡＤＮセッションの停止を含み、ＬＡＤＮセッションは、ＬＡＤＮがカバーするエリアにおいてＵＥがデータ伝送を実行するのに用いられるセッションである。
【０２８５】
任意選択的に、処理ユニット１５０２は具体的に、第１のセッション操作がＬＡＤＮセッションのリリースを含む場合、第１の通知メッセージに基づいてＬＡＤＮセッションをリリースする、又は第１のセッション操作がＬＡＤＮセッションのリリースを含む場合、送受信機ユニット１５０１を用い、第１の通知メッセージに基づいてＬＡＤＮセッションの停止をトリガし、予め設定した期間内に、またＬＡＤＮがカバーするエリアにＵＥが再び入るかどうかに応じて、ＬＡＤＮセッションをリリースするかどうかを判定するように構成される。
【０２８６】
任意選択的に、セッション管理機能エンティティが、予め設定した期間内に、またＬＡＤＮがカバーするエリアにＵＥが再び入るかどうかに応じて、ＬＡＤＮセッションをリリースするかどうかを判定し、処理ユニット１５０２は具体的に、予め設定した期間内に、ＬＡＤＮがカバーするエリアにＵＥが再び入らなかった場合、ＬＡＤＮセッションをリリースする、又は予め設定した期間内に、ＬＡＤＮがカバーするエリアにＵＥが再び入った場合、ＬＡＤＮセッションをリリースしないと判定するように構成される。
【０２８７】
任意選択的に、送受信機ユニット１５０１はさらに、処理ユニット１５０２がＬＡＤＮセッションをリリースした後に、イベントのサブスクライブ解除を求める要求をモビリティ管理機能エンティティに送信するように構成される。
【０２８８】
任意選択的に、処理ユニット１５０２は具体的に、第１のセッション操作がＬＡＤＮセッションの停止を含む場合、ＬＡＤＮセッションのダウンリンクトンネルリソースをリリースするよう命令するメッセージを、送受信機ユニット１５０１を用いてユーザプレーン機能エンティティに送信する、又は第１のセッション操作がＬＡＤＮセッションの停止を含む場合、ＬＡＤＮセッションのエアインタフェースリソースをリリースするよう命令するメッセージを、送受信機ユニット１５０１を用いてモビリティ管理機能エンティティに送信するように構成される。
【０２８９】
任意選択的に、イベントはさらに、ＬＡＤＮがカバーするエリアにＵＥが入ることを含んでよい。
【０２９０】
任意選択的に、送受信機ユニット１５０１はさらに、イベントサブスクリプション要求をモビリティ管理機能エンティティに送信した後に、ＬＡＤＮがカバーするエリアにＵＥが入ったことを通知する第２の通知メッセージをモビリティ管理機能エンティティから受信するように構成され、処理ユニット１５０２はさらに、送受信機ユニット１５０１が第２の通知メッセージを受信した後に、第２の通知メッセージに基づいて第２のセッション操作をトリガするように構成され、第２のセッション操作は、ＬＡＤＮセッションを起動すること、又はＵＥとＬＡＤＮとの間のＬＡＤＮセッション確立をトリガすることを含む。
【０２９１】
任意選択的に、第２の通知メッセージに基づいて第２のセッション操作をトリガするとき、処理ユニット１５０２は具体的に、第１のセッション操作がＬＡＤＮセッションの停止を含み、且つＬＡＤＮセッションを用いてデータ伝送を実行するよう要求するサービス要求ＳＲメッセージを、送受信機ユニット１５０１を用いてＵＥから受信した場合、セッション管理機能エンティティが第１の通知メッセージに基づいて停止したＬＡＤＮセッションを、送受信機ユニット１５０１を用い、第２の通知メッセージに基づいて起動するように構成される。
【０２９２】
任意選択的に、第２の通知メッセージに基づいて第２のセッション操作をトリガするとき、処理ユニット１５０２は具体的に、第１のセッション操作がＬＡＤＮセッションのリリースを含み、且つＵＥとＬＡＤＮとの間にＬＡＤＮセッションを確立するよう要求するメッセージを、送受信機ユニット１５０１を用いてＵＥから受信した場合、第２の通知メッセージに基づいて、ＵＥとＬＡＤＮとの間のＬＡＤＮセッション確立をトリガするように構成される。
【０２９３】
本願の一実施形態がさらに、セッション管理機能エンティティを提供する。セッション管理機能エンティティは、図１１〜図１４Ｃに対応する実施形態において提供される方法を実施する機能を有し、図１１〜図１４Ｃに対応する実施形態におけるセッション管理機能エンティティのオペレーションを実施する。この機能は、ハードウェアを用いて実施され得る。このセッション管理機能エンティティは、図１５に示すセッション管理機能エンティティと同じ装置であってよい。図１６に示すように、セッション管理機能エンティティは、プロセッサ１６０１、送受信機１６０２、バス１６０３、及びメモリ１６０４を含む。プロセッサ１６０１、メモリ、及び送受信機１６０２は、バスを用いて互いに接続されている。メモリ１６０４は、コンピュータ可読プログラムを格納するように構成される。プロセッサ１６０１は、メモリ１６０４内の命令を呼び出して、図１１〜図１４Ｃに対応する実施形態における方法を実行し、図１５に示すセッション管理機能エンティティの処理ユニットの機能を実装する。送受信機１６０２は、プロセッサ１６０１の制御下で、データ受信及び／又はデータ送信を行い、図１５に示すセッション管理機能エンティティの送受信機ユニットの機能を実装するように構成される。
【０２９４】
本願の一実施形態はさらに、コンピュータ記憶媒体を提供する。本記憶媒体は、ソフトウェアプログラムを格納する。ソフトウェアプログラムは、１つ又は複数のプロセッサにより読み出されて実行されると、前述の実施形態のセッション管理機能エンティティにより実行される方法を実施することができる。
【０２９５】
本願の一実施形態が、命令を含むコンピュータプログラム製品を提供する。本製品がコンピュータで起動すると、コンピュータは、前述の実施形態のセッション管理機能エンティティにより実行されるセッション処理方法を実行することができる。当業者であれば、本願の実施形態は、方法、システム、又はコンピュータプログラム製品として提供され得ることを理解するはずである。したがって、本願は、ハードウェアのみの実施形態、ソフトウェアのみの実施形態、又はソフトウェアとハードウェアとを組み合わせた実施形態の形式を用いてよい。さらに、本願は、コンピュータ利用可能プログラムコードを含む１つ又は複数のコンピュータ利用可能記憶媒体（限定されるものではないが、ディスクメモリ、ＣＤ−ＲＯＭ、光メモリを含む）に実装されるコンピュータプログラム製品の形式を用いてもよい。
【０２９６】
本願は、本願による方法、デバイス（システム）、及びコンピュータプログラム製品の、フローチャート及び／又はブロック図を参照して説明される。コンピュータプログラム命令は、フローチャート及び／又はブロック図の各プロセス及び／又は各ブロック、並びに、フローチャート及び／又はブロック図のプロセス及び／又はブロックの組み合わせを実装するのに用いられてよいことを理解されたい。これらのコンピュータプログラム命令は、汎用コンピュータ、専用コンピュータ、組み込みプロセッサ、又は任意の他のプログラム可能なデータ処理デバイスのプロセッサに提供されて機械を生み出してよく、その結果、コンピュータ又は任意の他のプログラム可能なデータ処理デバイスのプロセッサにより実行される命令は、フローチャートの１つ若しくは複数のプロセス及び／又はブロック図の１つ若しくは複数のブロックにおける特定の機能を実装する装置を生み出す。
【０２９７】
コンピュータ又は任意の他のプログラム可能なデータ処理デバイスに特定の方式で動作するよう命令することができるこれらのコンピュータプログラム命令は、代替的に、コンピュータ可読メモリに格納されてよく、その結果、コンピュータ可読メモリに格納された命令は、命令装置を含む人工物を生み出す。命令装置は、フローチャートの１つ若しくは複数のプロセス、及び／又はブロック図の１つ若しくは複数のブロックにおける特定の機能を実装する。
【０２９８】
これらのコンピュータプログラム命令は、代替的に、コンピュータ又は別のプログラム可能なデータ処理デバイスにロードされてよく、その結果、一連のオペレーション及び段階が、コンピュータ又は別のプログラム可能なデバイスで実行され、それにより、コンピュータ実装処理が生み出される。したがって、コンピュータ又は別のプログラム可能なデバイスで実行される命令は、フローチャートの１つ若しくは複数のプロセス及び／又はブロック図の１つ若しくは複数のブロックにおける特定の機能を実装する段階を提供する。
【０２９９】
当業者であれば、本願の精神及び範囲から逸脱することなく、本願に様々な修正及び変形を施し得ることは明らかである。本願は、本願のこれらの修正及び変形が、本願の特許請求の範囲及びその均等な技術により定められる範囲に含まれているという条件を満たす限り、これらの修正及び変形を包含することが意図されている。
（項目１）
セッション処理方法であって、
セッション管理機能エンティティがイベントサブスクリプション要求をモビリティ管理機能エンティティに送信する段階であって、上記イベントは、ローカルエリアデータネットワークＬＡＤＮがカバーするエリアからユーザ機器ＵＥが離れることを含む、段階と、
上記セッション管理機能エンティティが上記モビリティ管理機能エンティティから、上記ＬＡＤＮがカバーする上記エリアから上記ＵＥが離れたことを通知する第１の通知メッセージを受信する段階と、
上記セッション管理機能エンティティが、上記第１の通知メッセージに基づいて第１のセッション操作をトリガする段階であって、上記第１のセッション操作はＬＡＤＮセッションのリリース又はＬＡＤＮセッションの停止を含み、上記ＬＡＤＮセッションは、上記ＬＡＤＮがカバーする上記エリアにおいて上記ＵＥがデータ伝送を実行するのに用いられるセッションである、段階と
を備える、方法。
（項目２）
上記第１のセッション操作が上記ＬＡＤＮセッションのリリースを含む場合、上記セッション管理機能エンティティが上記第１の通知メッセージに基づいて第１のセッション操作を上記トリガする段階は、
上記セッション管理機能エンティティが上記第１の通知メッセージに基づいて上記ＬＡＤＮセッションをリリースする段階、又は、
上記セッション管理機能エンティティが上記第１の通知メッセージに基づいて上記ＬＡＤＮセッションの停止をトリガして、予め設定した期間内に、また上記ＬＡＤＮがカバーする上記エリアに上記ＵＥが再び入るかどうかに応じて、上記ＬＡＤＮセッションをリリースするかどうかを判定する段階と
を有する、項目１に記載の方法。
（項目３）
上記セッション管理機能エンティティが、予め設定した期間内に、また上記ＬＡＤＮがカバーする上記エリアに上記ＵＥが再び入るかどうかに応じて、上記ＬＡＤＮセッションをリリースするかどうかを上記判定する段階は、具体的に、
上記予め設定した期間内に、上記ＬＡＤＮがカバーする上記エリアに上記ＵＥが再び入らなかった場合、上記セッション管理機能エンティティが上記ＬＡＤＮセッションをリリースする段階、又は、
上記予め設定した期間内に、上記ＬＡＤＮがカバーする上記エリアに上記ＵＥが再び入った場合、上記セッション管理機能エンティティが上記ＬＡＤＮセッションをリリースしないと判定する段階を有する、項目２に記載の方法。
（項目４）
上記第１のセッション操作が上記ＬＡＤＮセッションの停止を含む場合、上記セッション管理機能エンティティが上記第１の通知メッセージに基づいて第１のセッション操作を上記トリガする段階は、
上記セッション管理機能エンティティがユーザプレーン機能エンティティに、上記ＬＡＤＮセッションのダウンリンクトンネルリソースをリリースするよう命令するメッセージを送信する段階、又は、
上記セッション管理機能エンティティが上記モビリティ管理機能エンティティに、上記ＬＡＤＮセッションのエアインタフェースリソースをリリースするよう命令するメッセージを送信する段階を有する、項目１に記載の方法。
（項目５）
上記イベントはさらに、上記ＬＡＤＮがカバーする上記エリアに上記ＵＥが入ることを含む、項目１から４のいずれか一項に記載の方法。
（項目６）
セッション管理機能エンティティが、イベントサブスクリプション要求をモビリティ管理機能エンティティに上記送信する段階の後に、上記方法はさらに、
上記セッション管理機能エンティティが上記モビリティ管理機能エンティティから、上記ＬＡＤＮがカバーする上記エリアに上記ＵＥが入ったことを通知する第２の通知メッセージを受信する段階と、
上記セッション管理機能エンティティが上記第２の通知メッセージに基づいて第２のセッション操作をトリガする段階であって、上記第２のセッション操作は、上記ＬＡＤＮセッションを起動すること、又は上記ＵＥと上記ＬＡＤＮとの間のＬＡＤＮセッションの確立をトリガすることを含む、段階と
を備える、項目５に記載の方法。
（項目７）
上記第１のセッション操作が上記ＬＡＤＮセッションの停止を含む場合、上記セッション管理機能エンティティが上記第２の通知メッセージに基づいて第２のセッション操作を上記トリガする段階は、
上記ＬＡＤＮセッションを用いてデータ伝送を実行するよう要求するサービス要求ＳＲメッセージを上記ＵＥから受信した場合、上記セッション管理機能エンティティが上記第１の通知メッセージに基づいて停止した上記ＬＡＤＮセッションを、上記セッション管理機能エンティティが上記第２の通知メッセージに基づいて起動する段階を有する、項目６に記載の方法。
（項目８）
上記第１のセッション操作が上記ＬＡＤＮセッションのリリースを含む場合、上記セッション管理機能エンティティが上記第２の通知メッセージに基づいて第２のセッション操作を上記トリガする段階は、
上記ＵＥと上記ＬＡＤＮとの間にＬＡＤＮセッションを確立するよう要求するメッセージを上記ＵＥから受信した場合、上記セッション管理機能エンティティが、上記第２の通知メッセージに基づいて上記ＵＥと上記ＬＡＤＮとの間のＬＡＤＮセッション確立をトリガする段階を有する、項目６に記載の方法。
（項目９）
上記イベントサブスクリプション要求は、上記ＵＥの識別子及び上記ＬＡＤＮの識別子を含む、項目１から８のいずれか一項に記載の方法。
（項目１０）
上記ＬＡＤＮの上記識別子はローカルデータネットワーク名である、項目９に記載の方法。
（項目１１）
イベントサブスクリプション要求をモビリティ管理機能エンティティに送信することであって、上記イベントは、ローカルエリアデータネットワークＬＡＤＮがカバーするエリアからユーザ機器ＵＥが離れることを含む、送信することと、上記ＬＡＤＮがカバーする上記エリアから上記ＵＥが離れたことを通知する第１の通知メッセージを上記モビリティ管理機能エンティティから受信することとを行うように構成された送受信機ユニットと、
上記送受信機ユニットにより受信した上記第１の通知メッセージに基づいて第１のセッション操作をトリガすることであって、上記第１のセッション操作は、ＬＡＤＮセッションのリリース又はＬＡＤＮセッションの停止を含み、上記ＬＡＤＮセッションは、上記ＬＡＤＮがカバーする上記エリアにおいて上記ＵＥがデータ伝送を実行するのに用いられるセッションである、トリガすることを行うように構成された処理ユニットと
を備える、セッション管理機能エンティティ。
（項目１３）
上記処理ユニットは具体的に、
上記第１のセッション操作が上記ＬＡＤＮセッションのリリースを含む場合、上記第１の通知メッセージに基づいて上記ＬＡＤＮセッションをリリースする、又は、
上記第１のセッション操作が上記ＬＡＤＮセッションのリリースを含む場合、上記送受信機ユニットを用いて、上記第１の通知メッセージに基づいて上記ＬＡＤＮセッションの停止をトリガし、予め設定した期間内に、また上記ＬＡＤＮがカバーする上記エリアに上記ＵＥが再び入るかどうかに応じて、上記ＬＡＤＮセッションをリリースするかどうかを判定する
ように構成される、項目１１に記載のセッション管理機能エンティティ。
（項目１４）
上記予め設定した期間内に、また上記ＬＡＤＮがカバーする上記エリアに上記ＵＥが再び入るかどうかに応じて、上記ＬＡＤＮセッションをリリースするかどうかを判定する場合、上記処理ユニットは具体的に、
上記予め設定した期間内に、上記ＬＡＤＮがカバーする上記エリアに上記ＵＥが再び入らなかった場合、上記ＬＡＤＮセッションをリリースする、又は、
上記予め設定した期間内に、上記ＬＡＤＮがカバーする上記エリアに上記ＵＥが再び入った場合、上記ＬＡＤＮセッションをリリースしないと判定する
ように構成される、項目１３に記載のセッション管理機能エンティティ。
（項目１５）
上記処理ユニットは具体的に、
上記第１のセッション操作が上記ＬＡＤＮセッションの停止を含む場合、上記送受信機ユニットを用いてユーザプレーン機能エンティティに、上記ＬＡＤＮセッションのダウンリンクトンネルリソースをリリースするよう命令するメッセージを送信する、又は、
上記第１のセッション操作が上記ＬＡＤＮセッションの停止を含む場合、上記送受信機ユニットを用いて上記モビリティ管理機能エンティティに、上記ＬＡＤＮセッションのエアインタフェースリソースをリリースするよう命令するメッセージを送信する
ように構成される、項目１１に記載のセッション管理機能エンティティ。
（項目１６）
上記イベントはさらに、上記ＬＡＤＮがカバーする上記エリアに上記ＵＥが入ることを含む、項目１１から１５のいずれか一項に記載のセッション管理機能エンティティ。
（項目１７）
上記送受信機ユニットはさらに、
上記イベントサブスクリプション要求を上記モビリティ管理機能エンティティに送信した後に、上記ＬＡＤＮがカバーする上記エリアに上記ＵＥが入ったことを通知する第２の通知メッセージを上記モビリティ管理機能エンティティから受信するように構成され、
上記処理ユニットはさらに、
上記送受信機ユニットが上記第２の通知メッセージを受信した後に、上記第２の通知メッセージに基づいて第２のセッション操作をトリガするように構成され、上記第２のセッション操作は、上記ＬＡＤＮセッションを起動すること、又は上記ＵＥと上記ＬＡＤＮとの間のＬＡＤＮセッション確立をトリガすることを含む、項目１６に記載のセッション管理機能エンティティ。
（項目１８）
上記イベントサブスクリプション要求は、上記ＵＥの識別子及び上記ＬＡＤＮの識別子を含む、項目１１から１７のいずれか一項に記載のセッション管理機能エンティティ。
（項目１９）
セッション管理機能エンティティと、モビリティ管理機能エンティティとを備えるセッション処理システムであって、
上記セッション管理機能エンティティは、イベントサブスクリプション要求を上記モビリティ管理機能エンティティに送信するように構成され、上記イベントは、ローカルエリアデータネットワークＬＡＤＮがカバーするエリアからユーザ機器ＵＥが離れることを含み、
上記モビリティ管理機能エンティティは、上記セッション管理機能エンティティにより送信される上記イベントサブスクリプション要求を受信し、上記ＬＡＤＮがカバーする上記エリアから上記ＵＥが離れたと判定した場合、上記ＬＡＤＮがカバーする上記エリアから上記ＵＥが離れたことを通知する第１の通知メッセージを上記セッション管理機能エンティティに送信するように構成され、
上記セッション管理機能エンティティはさらに、上記第１の通知メッセージを上記モビリティ管理機能エンティティから受信し、上記第１の通知メッセージに基づいて第１のセッション操作をトリガするように構成され、上記第１のセッション操作は、ＬＡＤＮセッションのリリース又はＬＡＤＮセッションの停止を含み、上記ＬＡＤＮセッションは、上記ＬＡＤＮがカバーする上記エリアにおいて上記ＵＥがデータ伝送を実行するのに用いられるセッションである、システム。
（項目２０）
上記セッション管理機能エンティティは、項目１から１０のいずれか一項に記載の方法を実行するように構成される、項目１９に記載のシステム。
（項目２１）
プロセッサを備えたセッション管理機能エンティティであって、上記プロセッサは、メモリと結合され、上記メモリ内の命令を読み出し、上記命令に従って、項目１から１０のいずれか一項に記載の方法を実行するように構成される、セッション管理機能エンティティ。
（項目２２）
セッション処理方法であって、
セッション管理機能エンティティが、ローカルエリアデータネットワークＬＡＤＮがカバーするエリアからユーザ機器ＵＥが離れたと判定する段階と、
上記セッション管理機能エンティティが、ＬＡＤＮセッションの停止をトリガする段階であって、上記ＬＡＤＮセッションは、上記ＬＡＤＮがカバーする上記エリアにおいて上記ＵＥがデータ伝送を実行するのに用いられるセッションである、段階と、
上記セッション管理機能エンティティが、予め設定した期間内に、また上記ＬＡＤＮがカバーする上記エリアに上記ＵＥが再び入るかどうかに応じて、上記ＬＡＤＮセッションをリリースするかどうかを判定する段階と
を備える、方法。
（項目２３）
上記セッション管理機能エンティティが、予め設定した期間内に、また上記ＬＡＤＮがカバーする上記エリアに上記ＵＥが再び入るかどうかに応じて、上記ＬＡＤＮセッションをリリースするかどうかを上記判定する段階は、
上記予め設定した期間内に、上記ＬＡＤＮがカバーする上記エリアに上記ＵＥが再び入らなかった場合、上記セッション管理機能エンティティが上記ＬＡＤＮセッションをリリースする段階を有する、項目２２に記載の方法。
（項目２４）
上記セッション管理機能エンティティが、予め設定した期間内に、また上記ＬＡＤＮがカバーする上記エリアに上記ＵＥが再び入るかどうかに応じて、上記ＬＡＤＮセッションをリリースするかどうかを上記判定する段階は、
上記予め設定した期間内に、上記ＬＡＤＮがカバーする上記エリアに上記ＵＥが再び入った場合、上記セッション管理機能エンティティが上記ＬＡＤＮセッションをリリースしないと判定する段階を有する、項目２２に記載の方法。
（項目２５）
上記セッション管理機能エンティティが上記ＬＡＤＮセッションをリリースしないと上記判定する段階の後に、上記方法はさらに、
上記ＬＡＤＮセッションを用いてデータ伝送を実行するよう要求するサービス要求ＳＲメッセージを上記ＵＥから受信した場合、上記セッション管理機能エンティティが上記ＬＡＤＮセッションの起動をトリガする段階を備える、項目２４に記載の方法。
（項目２６）
上記セッション管理機能エンティティがＬＡＤＮセッションの停止を上記トリガする段階の後に、且つ上記ＬＡＤＮセッションをリリースするかどうかを上記判定する段階の前に、上記方法はさらに、
データ伝送を実行するよう要求する上記サービス要求ＳＲメッセージを、上記ＬＡＤＮセッションを用いて上記ＵＥから受信した場合、上記セッション管理機能エンティティが上記ＵＥに、上記ＳＲメッセージに対応する要求が失敗したことを示す応答メッセージを送信する段階を備える、項目２２から２５のいずれか一項に記載の方法。
（項目２７）
セッション管理機能エンティティが、ローカルエリアデータネットワークＬＡＤＮがカバーするエリアからユーザ機器ＵＥが離れたと上記判定する段階は、
上記セッション管理機能エンティティが指示情報をモビリティ管理機能エンティティから受信する段階であって、上記指示情報は、上記ＵＥの位置を示すのに用いられる、段階と、
上記セッション管理機能エンティティが上記指示情報に基づいて、上記ＬＡＤＮがカバーする上記エリアから上記ＵＥが離れたと判定する段階と
を有する、項目２２から２６のいずれか一項に記載の方法。
（項目２８）
上記指示情報は上記ＵＥの位置情報を含み、
上記セッション管理機能エンティティが上記指示情報に基づいて、上記ＬＡＤＮがカバーする上記エリアから上記ＵＥが離れたと上記判定する段階は、
上記ＵＥの上記位置情報により示される上記位置が、上記セッション管理機能エンティティにより予め格納された、上記ＬＡＤＮがカバーする上記エリアに関する情報により示されるエリアにない場合、上記セッション管理機能エンティティが、上記ＬＡＤＮがカバーする上記エリアから上記ＵＥが離れたと判定する段階を有する、項目２７に記載の方法。
（項目２９）
上記指示情報は、上記ＬＡＤＮがカバーする上記エリアから上記ＵＥが離れたことを示す情報を含み、
上記セッション管理機能エンティティが上記指示情報に基づいて、上記ＬＡＤＮがカバーする上記エリアから上記ＵＥが離れたと上記判定する段階は、
上記セッション管理機能エンティティが、上記指示情報に含まれる、上記ＬＡＤＮがカバーする上記エリアから上記ＵＥが離れたことを示す上記情報に基づいて、上記ＬＡＤＮがカバーする上記エリアから上記ＵＥが離れたと判定する段階を有する、項目２７に記載の方法。
（項目３０）
上記ＵＥの上記位置情報は、上記ＵＥが位置するセルのセル識別情報を含み、上記ＬＡＤＮがカバーする上記エリアに関する上記情報は、上記ＬＡＤＮがカバーする上記エリア内の全てのセルのセル識別情報を含む、又は、
上記ＵＥの上記位置情報は、上記ＵＥのトラッキングエリア識別情報ＴＡＩを含み、上記ＬＡＤＮがカバーする上記エリアに関する上記情報は、上記ＬＡＤＮがカバーする上記エリア内の全てのＴＡＩを含む、項目２８に記載の方法。
（項目３１）
上記セッション管理機能エンティティがＬＡＤＮセッションの停止を上記トリガする段階は、
上記セッション管理機能エンティティがユーザプレーン機能エンティティに、上記ＬＡＤＮセッションのダウンリンクトンネルリソースをリリースするよう命令するメッセージを送信する段階、又は、
上記セッション管理機能エンティティが上記モビリティ管理機能エンティティに、上記ＬＡＤＮセッションのエアインタフェースリソースをリリースするよう命令するメッセージを送信する段階を有する、項目２２から３０のいずれか一項に記載の方法。
（項目３２）
ローカルエリアデータネットワークＬＡＤＮがカバーするエリアからユーザ機器ＵＥが離れたと判定するように構成された処理ユニットと、
ＬＡＤＮセッションの停止をトリガするように構成された送受信機ユニットであって、上記ＬＡＤＮセッションは、上記ＬＡＤＮがカバーする上記エリアにおいて上記ＵＥがデータ伝送を実行するのに用いられるセッションである、送受信機ユニットと
を備え,
上記処理ユニットはさらに、予め設定した期間内に、また上記ＬＡＤＮがカバーする上記エリアに上記ＵＥが再び入るかどうかに応じて、上記ＬＡＤＮセッションをリリースするかどうかを判定するように構成される、セッション管理機能エンティティ。
（項目３３）
上記予め設定した期間内に、また上記ＬＡＤＮがカバーする上記エリアに上記ＵＥが再び入るかどうかに応じて、上記ＬＡＤＮセッションをリリースするかどうかを判定する場合、上記処理ユニットは具体的に、
上記予め設定した期間内に、上記ＬＡＤＮがカバーする上記エリアに上記ＵＥが再び入らなかった場合、上記ＬＡＤＮセッションをリリースするように構成される、項目３２に記載のセッション管理機能エンティティ。
（項目３４）
上記予め設定した期間内に、また上記ＬＡＤＮがカバーする上記エリアに上記ＵＥが再び入るかどうかに応じて、上記ＬＡＤＮセッションをリリースするかどうかを判定する場合、上記処理ユニットは具体的に、
上記予め設定した期間内に、上記ＬＡＤＮがカバーする上記エリアに上記ＵＥが再び入った場合、上記ＬＡＤＮセッションをリリースしないと判定するように構成される、項目３２に記載のセッション管理機能エンティティ。
（項目３５）
上記処理ユニットはさらに、
上記ＬＡＤＮセッションをリリースしないと判定した後に、上記ＬＡＤＮセッションを用いてデータ伝送を実行するよう要求するサービス要求ＳＲメッセージが、上記送受信機ユニットを用いて上記ＵＥから受信された場合、上記送受信機ユニットを用いて上記ＬＡＤＮセッションの起動をトリガするように構成される、項目３４に記載のセッション管理機能エンティティ。
（項目３６）
上記送受信機ユニットはさらに、
上記送受信機ユニットが上記ＬＡＤＮセッションの停止をトリガした後に、且つ上記処理ユニットが上記ＬＡＤＮセッションをリリースするかどうかを判定する前に、上記ＬＡＤＮセッションを用いてデータ伝送を実行するよう要求する上記サービス要求ＳＲメッセージを上記ＵＥから受信した場合、上記ＳＲメッセージに対応する要求が失敗したことを示す応答メッセージを上記ＵＥに送信するように構成される、項目３２から３５のいずれか一項に記載のセッション管理機能エンティティ。
（項目３７）
上記ローカルエリアデータネットワークＬＡＤＮがカバーする上記エリアから上記ユーザ機器ＵＥが離れたと判定する場合、上記処理ユニットは具体的に、
指示情報をモビリティ管理機能エンティティから上記送受信機ユニットを用いて受信することであって、上記指示情報は上記ＵＥの位置を示すのに用いられる、受信することと、
上記指示情報に基づいて、上記ＬＡＤＮがカバーする上記エリアから上記ＵＥが離れたと判定することと
を行うように構成される、項目３２から３６のいずれか一項に記載のセッション管理機能エンティティ。
（項目３８）
上記指示情報は上記ＵＥの位置情報を含み、
上記指示情報に基づいて、上記ＬＡＤＮがカバーする上記エリアから上記ＵＥが離れたと判定する場合、上記処理ユニットは具体的に、
上記ＵＥの上記位置情報により示される上記位置が、上記セッション管理機能エンティティにより予め格納された、上記ＬＡＤＮがカバーする上記エリアに関する情報により示されるエリアにない場合、上記ＬＡＤＮがカバーする上記エリアから上記ＵＥが離れたと判定するように構成される、項目３７に記載のセッション管理機能エンティティ。
（項目３９）
上記指示情報は、上記ＬＡＤＮがカバーする上記エリアから上記ＵＥが離れたことを示す情報を含み、
上記指示情報に基づいて、上記ＬＡＤＮがカバーする上記エリアから上記ＵＥが離れたと判定する場合、上記処理ユニットは具体的に、
上記指示情報に含まれる、上記ＬＡＤＮがカバーする上記エリアから上記ＵＥが離れたことを示す上記情報に基づいて、上記ＬＡＤＮがカバーする上記エリアから上記ＵＥが離れたと判定するように構成される、項目３７に記載のセッション管理機能エンティティ。
（項目４０）
上記ＵＥの上記位置情報は、上記ＵＥが位置するセルのセル識別情報を含み、上記ＬＡＤＮがカバーする上記エリアに関する上記情報は、上記ＬＡＤＮがカバーする上記エリア内の全てのセルのセル識別情報を含む、又は、
上記ＵＥの上記位置情報は、上記ＵＥのトラッキングエリア識別情報ＴＡＩを含み、上記ＬＡＤＮがカバーする上記エリアに関する上記情報は、上記ＬＡＤＮがカバーする上記エリア内の全てのＴＡＩを含む、項目３８に記載のセッション管理機能エンティティ。
（項目４１）
上記ＬＡＤＮセッションの停止をトリガする場合、上記送受信機ユニットは具体的に、
上記ＬＡＤＮセッションのダウンリンクトンネルリソースをリリースするよう命令するメッセージをユーザプレーン機能エンティティに送信する、又は、
上記ＬＡＤＮセッションのエアインタフェースリソースをリリースするよう命令するメッセージを上記モビリティ管理機能エンティティに送信するように構成される、項目３２から４０のいずれか一項に記載のセッション管理機能エンティティ。
（項目４２）
メモリと、プロセッサと、送受信機とを備えるセッション管理機能エンティティであって、
上記メモリは、コンピュータ可読プログラムを格納するように構成され、
上記プロセッサは、上記メモリ内の上記プログラムを起動して、項目２２から３１のいずれか一項に記載の方法を実行するように構成され、
上記送受信機は、上記プロセッサの制御下で、データの受信及び／又はデータの送信を行うように構成される、セッション管理機能エンティティ。
（項目４３）
モビリティ管理機能エンティティと、セッション管理機能エンティティとを備えるセッション処理システムであって、
上記モビリティ管理機能エンティティは、指示情報を上記セッション管理機能エンティティに送信するように構成され、上記指示情報は、ユーザ機器ＵＥの位置を示すのに用いられ、
上記セッション管理機能エンティティは、上記モビリティ管理機能エンティティにより送信される上記指示情報を受信し、上記指示情報に基づいて、ローカルエリアデータネットワークＬＡＤＮがカバーするエリアから上記ＵＥが離れたと判定し、上記ＬＡＤＮがカバーする上記エリアにおいて上記ＵＥがデータ伝送を実行するのに用いられるセッションであるＬＡＤＮセッションの停止をトリガし、予め設定した期間内に、また上記ＬＡＤＮがカバーする上記エリアに上記ＵＥが再び入るかどうかに応じて、上記ＬＡＤＮセッションをリリースするかどうかを判定するように構成される、システム。
（項目４４）
上記セッション管理機能エンティティは、項目２３から３１のいずれか一項に記載の方法を実行するように構成される、項目４３に記載のシステム。
【図１】
0006835369.tif 000002
【図２】
0006835369.tif 000003
【図３】
0006835369.tif 000004
【図４Ａ】
0006835369.tif 000005
【図４Ｂ】
0006835369.tif 000006
【図５Ａ】
0006835369.tif 000007
【図５Ｂ】
0006835369.tif 000008
【図６】
0006835369.tif 000009
【図７】
0006835369.tif 000010
【図８】
0006835369.tif 000011
【図９】
0006835369.tif 000012
【図１０】
0006835369.tif 000013
【図１１】
0006835369.tif 000014
【図１２】
0006835369.tif 000015
【図１３】
0006835369.tif 000016
【図１４Ａ】
0006835369.tif 000017
【図１４Ｂ】
0006835369.tif 000018
【図１４Ｃ】
0006835369.tif 000019
【図１５】
0006835369.tif 000020
【図１６】
0006835369.tif 000021